(57)【要約】移動ワイヤレス装置(100)は、それがショートレンジワイヤレスアクセスポイント(140A)のエリア内にあるときに、ネットワークサーバー(180)からサービスを得るための要求を送信する。アクセスポイントは、サーバー(180)から応答(620)を受け取り、この応答は、要求されたサービスがアクセスポイント(140A)のエリア外で利用できるかどうかについて移動装置(100)に通知するためのグローバル／ローカルパラメータ(557)を含む。アクセスポイントのエリア外の領域は、セルラー電話ベースステーション(148)によってカバーされる。移動装置(100)が、サーバー(180)と接触する間にアクセスポイント(140A)のエリアを去ったことを検出すると、パラメータ(557)が、サービスがグローバルであることを指示するかどうか決定する。それがグローバルである場合には、移動装置(100)がサーバー(180)へのセルラー接続を行う。
2005507600.tif 000002
【特許請求の範囲】
【請求項１】
ショートレンジワイヤレスアクセスポイントにおいて、移動ワイヤレス装置が、アクセスポイントのカバレージエリアから移動して出ることにより中断されているインターネットサービスをネットワークサーバーで再開できるようにする方法であって、
上記ショートレンジワイヤレスアクセスポイントにおいて上記移動ワイヤレス装置から上記ネットワークサーバーへ要求を転送し、該要求は、上記サーバーからインターネットを経てサービスを得るためのもので、該転送は、上記移動装置が上記アクセスポイントのカバレージエリア内にある時間中に行い、そして
上記アクセスポイントにおいて上記サーバーから上記移動装置へ応答メッセージを転送し、該応答メッセージは、上記要求されたサービスが上記アクセスポイントのカバレージエリア外で利用できるかどうか上記移動装置に通知するグローバル／ローカルパラメータを含むものである方法。
【請求項２】
セルラー電話ネットワークとインターネットとの間に接続されたゲートウェイのハンドオーバー電話アドレスを上記ショートレンジワイヤレスアクセスポイントから上記移動装置へ送信し、これにより、上記移動装置により領域セルラー電話アクセスポイントを経て上記ゲートウェイへ接続を行って、インターネットサービスを再開できるようにすることを更に含む請求項１に記載の方法。
【請求項３】
上記サーバーからの応答メッセージにハンドオーバー電話アドレスを含ませることを更に含む請求項２に記載の方法。
【請求項４】
上記領域セルラー電話アクセスポイントにおいて上記移動ワイヤレス装置から上記ネットワークサーバーへブックマークＵＲＬを転送し、これにより、上記ゲートウェイにより上記サーバーへの接続を完成してインターネットサービスを再開できるようにすることを更に含む請求項２に記載の方法。
【請求項５】
上記ショートレンジワイヤレスアクセスポイントは、ブルーツースアクセスポイント、ＩｒＤＡ赤外線データプロトコルアクセスポイント、ＩＥＥＥ８０２．１１ワイヤレスＬＡＮアクセスポイント、及びハイパーＬＡＮアクセスポイントより成るグループから選択される請求項１に記載の方法。
【請求項６】
移動ワイヤレス装置において、ショートレンジワイヤレスアクセスポイントのカバレージエリアから上記移動装置が移動して出ることにより中断されているインターネットサービスをネットワークサーバーで再開できるようにする方法であって、
上記ネットワークサーバーからインターネットを経てサービスを得るために上記ショートレンジワイヤレスアクセスポイントへ要求を送信し、この送信は、上記移動装置が上記アクセスポイントのカバレージエリア内にある時間中に行い、
上記サーバーからの応答メッセージを、上記ショートレンジアクセスポイントから受信し、この応答メッセージは、上記要求されたサービスが上記アクセスポイントのカバレージエリア外で利用できるかどうか指示するグローバル／ローカルパラメータを含むものであり、
上記移動装置が上記ショートレンジワイヤレスアクセスポイントのカバレージエリアを去ったことを検出し、
上記グローバル／ローカルパラメータが、サービスがグローバルであることを指示するかどうか決定し、
領域セルラー電話ネットワークを経て上記サーバーでサービスを継続するための選択肢をユーザに表示し、
上記サーバーでサービスを継続するためのユーザ選択を受け取り、
セルラー電話ネットワークとインターネットとの間に接続されたプロトコルゲートウェイの記憶されたハンドオーバーアドレスにアクセスし、
上記移動ワイヤレス装置と領域セルラー電話アクセスポイントとの間にワイヤレス接続を確立し、
上記ハンドオーバーアドレスを使用して上記領域セルラー電話アクセスポイントを経て上記プロトコルゲートウェイへセルラー電話コールを発信し、そして
上記プロトコルゲートウェイへ電話メッセージを送信して、インターネットメッセージを上記ネットワークサーバーへ転送し、上記移動装置と上記サーバーとの間のサービスを再開する、
という段階を備えた方法。
【請求項７】
上記ショートレンジワイヤレスアクセスポイントから上記ゲートウェイのハンドオーバーアドレスを受け取り、これにより、上記移動装置により領域セルラー電話アクセスポイントを経て上記ゲートウェイへ接続を行って、インターネットサービスを再開できるようにすることを更に含む請求項６に記載の方法。
【請求項８】
上記サーバーからの応答メッセージにハンドオーバーアドレスを含ませることを更に含む請求項７に記載の方法。
【請求項９】
上記領域セルラー電話アクセスポイントを経て上記ゲートウェイへブックマークＵＲＬを送信し、これにより、上記ゲートウェイにより上記サーバーへの接続を完成してインターネットサービスを再開できるようにすることを更に含む請求項７に記載の方法。
【請求項１０】
移動ワイヤレス装置が、ショートレンジワイヤレスアクセスポイントのカバレージエリアから移動して出ることにより中断されているインターネットサービスをネットワークサーバーで再開できるようにするコンピュータ製品において、
コンピュータ読み取り可能な媒体と、
上記コンピュータ読み取り可能な媒体にあって、上記ネットワークサーバーからインターネットを経てサービスを得るために上記ショートレンジワイヤレスアクセスポイントへ要求を送信するためのロジックコードであって、この送信を、上記移動装置が上記アクセスポイントのカバレージエリア内にある時間中に行うようなロジックコードと、
上記コンピュータ読み取り可能な媒体にあって、上記サーバーからの応答メッセージを、上記ショートレンジアクセスポイントから受信するためのロジックコードであって、上記応答メッセージは、上記要求されたサービスが上記アクセスポイントのカバレージエリア外で利用できるかどうか指示するグローバル／ローカルパラメータを含むものであるロジックコードと、
上記コンピュータ読み取り可能な媒体にあって、上記移動装置が上記ショートレンジワイヤレスアクセスポイントのカバレージエリアを去ったことを検出するためのロジックコードと、
上記コンピュータ読み取り可能な媒体にあって、上記グローバル／ローカルパラメータが、サービスがグローバルであることを指示するかどうか決定するためのロジックコードと、
上記コンピュータ読み取り可能な媒体にあって、領域セルラー電話ネットワークを経て上記サーバーでサービスを継続するための選択肢をユーザに表示するロジックコードと、
上記コンピュータ読み取り可能な媒体にあって、上記サーバーでサービスを継続するためのユーザ選択を受け取るロジックコードと、
上記コンピュータ読み取り可能な媒体にあって、セルラー電話ネットワークとインターネットとの間に接続されたプロトコルゲートウェイの記憶されたハンドオーバーアドレスにアクセスするためのロジックコードと、
上記コンピュータ読み取り可能な媒体にあって、上記移動ワイヤレス装置と領域セルラー電話アクセスポイントとの間にワイヤレス接続を確立するためのロジックコードと、
上記コンピュータ読み取り可能な媒体にあって、上記ハンドオーバーアドレスを使用して上記領域セルラー電話アクセスポイントを経て上記プロトコルゲートウェイへセルラー電話コールを発信するためのロジックコードと、
上記コンピュータ読み取り可能な媒体にあって、上記プロトコルゲートウェイへ電話メッセージを送信して、インターネットメッセージを上記ネットワークサーバーへ転送し、上記移動装置と上記サーバーとの間のサービスを再開するためのロジックコードと、
を備えたコンピュータ製品。
【請求項１１】
上記コンピュータ読み取り可能な媒体にあって、上記ショートレンジワイヤレスアクセスポイントから上記ゲートウェイのハンドオーバーアドレスを受け取り、これにより、上記移動装置により領域セルラー電話アクセスポイントを経て上記ゲートウェイへ接続を行って、インターネットサービスを再開できるようにするためのロジックコードを更に備えた請求項１０に記載のコンピュータ製品。
【請求項１２】
移動ワイヤレス装置が、ショートレンジワイヤレスアクセスポイントのカバレージエリアから移動して出ることにより中断されているサービスをネットワークサーバーで再開できるようにするショートレンジワイヤレスアクセスポイントにおいて、
上記移動ワイヤレス装置から要求を受け取るためのショートレンジワイヤレストランシーバと、
上記トランシーバに接続されたプロセッサであって、ネットワークサーバーからサービスを得るための要求を上記移動ワイヤレス装置からネットワークを経てネットワークサーバーへ転送し、この転送を、上記移動装置が上記アクセスポイントのカバレージエリア内にある時間中に行うプロセッサと、
上記ネットワークに接続されたネットワークインターフェイスであって、要求されたサービスが上記アクセスポイントのカバレージエリア外で利用できるかどうか指示するグローバル／ローカルパラメータを含む応答メッセージを上記サーバーから受け取るためのネットワークインターフェイスと、
を備え、上記トランシーバが上記応答メッセージを上記移動装置へ転送するようにされたショートレンジワイヤレスアクセスポイント。
【請求項１３】
上記ショートレンジワイヤレストランシーバは、セルラー電話ネットワークと上記ネットワークサーバーとの間に接続されたゲートウェイのハンドオーバー電話アドレスを上記移動装置へ送信し、これにより、上記移動装置により領域セルラー電話アクセスポイントを経て上記ゲートウェイへ接続を行って、上記サーバーでサービスを再開できるようにする請求項１２に記載のショートレンジワイヤレスアクセスポイント。
【請求項１４】
上記応答メッセージは、ハンドオーバー電話アドレスを含む請求項１３に記載のショートレンジワイヤレスアクセスポイント。
【請求項１５】
上記ショートレンジワイヤレスアクセスポイントは、ブルーツースアクセスポイント、ＩｒＤＡ赤外線データプロトコルアクセスポイント、ＩＥＥＥ８０２．１１ワイヤレスＬＡＮアクセスポイント、及びハイパーＬＡＮアクセスポイントより成るグループから選択される請求項１２に記載のショートレンジワイヤレスアクセスポイント。
【請求項１６】
ショートレンジワイヤレスアクセスポイントのカバレージエリアから移動装置が移動して出ることにより中断されているサービスをネットワークサーバーで再開するための移動ワイヤレス装置において、
ネットワークサーバーからネットワークを経てサービスを得るためにショートレンジワイヤレスアクセスポイントへ要求を送信するためのショートレンジワイヤレストランシーバを備え、上記送信は、上記移動装置が上記ショートレンジワイヤレスアクセスポイントのカバレージエリア内にある時間中に行われ、
上記トランシーバは、上記サーバーからの応答メッセージを、上記ショートレンジワイヤレスアクセスポイントから受信し、この応答メッセージは、上記要求されたサービスが上記ショートレンジワイヤレスアクセスポイントのカバレージエリア外で利用できるかどうか指示するグローバル／ローカルパラメータを含むものであり、更に、
上記ショートレンジワイヤレストランシーバに接続されて、上記移動装置が上記ショートレンジワイヤレスアクセスポイントのカバレージエリアを去ったことを検出するためのプロセッサを備え、
上記プロセッサは、上記グローバル／ローカルパラメータが、サービスがグローバルであることを指示するかどうか決定し、更に、
上記プロセッサに接続されて、領域セルラー電話ネットワークを経て上記サーバーでサービスを継続するための選択肢をユーザに表示するユーザインターフェイスを備え、
上記ユーザインターフェイスは、上記サーバーでサービスを継続するというユーザ選択を受け取り、
上記プロセッサは、セルラー電話ネットワークとインターネットとの間に接続されたプロトコルゲートウェイの記憶されたハンドオーバーアドレスにアクセスし、更に、
上記プロセッサに接続されて、上記移動ワイヤレス装置と領域セルラー電話アクセスポイントとの間にワイヤレス接続を確立するためのセルラー電話トランシーバを備え、
上記セルラー電話トランシーバは、ハンドオーバーアドレスを使用して上記領域セルラー電話アクセスポイントを経て上記プロトコルゲートウェイへセルラー電話コールを発信し、そして
上記プロセッサは、上記プロトコルゲートウェイへ電話メッセージを送信して、メッセージを上記ネットワークサーバーへ転送し、上記移動装置と上記サーバーとの間のサービスを再開する、
ように構成された移動ワイヤレス装置。
【請求項１７】
上記ショートレンジワイヤレストランシーバは、上記ゲートウェイのハンドオーバーアドレスを上記ショートレンジワイヤレスアクセスポイントから受け取り、これにより、上記移動装置により領域セルラー電話アクセスポイントを経て上記ゲートウェイへ接続を行ってサーバーサービスを再開できるようにする請求項１６に記載の移動ワイヤレス装置。
【請求項１８】
上記応答メッセージは、ハンドオーバーアドレスを含む請求項１７に記載の移動ワイヤレス装置。
【請求項１９】
上記プロセッサは、上記領域セルラー電話アクセスポイントを経て上記ゲートウェイへブックマークＵＲＬを送信して、ネットワークサーバーへ転送し、これにより、上記ゲートウェイにより上記サーバーへの接続を完成してサーバーサービスを再開できるようにする請求項１７に記載の移動ワイヤレス装置。
【請求項２０】
上記移動ワイヤレス装置には、ショートレンジワイヤレス通信回路及びセルラー電話通信回路の両方が装備されている請求項１６に記載の移動ワイヤレス装置。
【請求項２１】
上記移動ワイヤレス装置は、ブルーツース装備のセルラー電話、ＧＳＭベースステーション、ＧＰＲＳベースステーション、ＵＭＴＳベースステーション及びＥＤＧＥベースステーションより成るグループから選択される請求項１６に記載の移動ワイヤレス装置。
【発明の詳細な説明】
【技術分野】
【０００１】
本発明は、一般に、ユビキタスコンピューティングに係り、より詳細には、ショートレンジワイヤレス技術の改良に係る。
本出願は、参考としてここに援用する２００１年１１月１日出願の「Local Service Handover」と題する米国特許出願第０９／９８５，０４４号の優先権を請求する。
【背景技術】
【０００２】
ショートレンジワイヤレスシステム
ショートレンジワイヤレスシステムは、１００メーター未満の典型的なレンジを有する。これらシステムは、インターネットに接続されたシステムとしばしば結合されて、長距離通信を与える。ショートレンジワイヤレスシステムのカテゴリーは、ワイヤレスパーソナルエリアネットワーク（ＰＡＮ）及びワイヤレスローカルエリアネットワーク（ＬＡＮ）を含む。それらは、無線スペクトルの非認可部分、通常、２．４ＧＨｚの工業、科学及び医療（ＩＳＭ）帯域、又は５ＧＨｚの非認可国内情報インフラストラクチャー（Ｕ−ＮＩＩ）帯域において動作するという共通の特徴を有する。ワイヤレスパーソナルエリアネットワークは、１０メーターの典型的なレンジを有する低コスト、低電力のワイヤレス装置を使用している。ワイヤレスパーソナルエリアネットワーク技術の最も良く知られた例は、２．４ＧＨｚのＩＳＭ帯域で動作するブルーツース(Bluetooth)規格である。これは、ピークエアリンク速度が１Ｍｂｐｓであると共に、消費電力がＰＤＡや移動電話のようなパーソナルポータブル電子装置で使用するに充分なほど低いものである。ワイヤレスローカルエリアネットワークは、一般に、１０から１００Ｍｂｐｓの高いピーク速度で動作し、そして大きな消費電力を必要とする長いレンジを有する。ワイヤレスローカルエリアネットワークは、通常、ポータブルラップトップコンピュータからアクセスポイント（ＡＰ）を経て有線ＬＡＮへ至るワイヤレスリンクとして使用される。ワイヤレスローカルエリアネットワーク技術の例は、５ＧＨｚのＵ−ＮＩＩ帯域で動作するＩＥＥＥ８０２．１１ワイヤレスＬＡＮ規格及びハイパーＬＡＮ規格を含む。
【０００３】
ブルーツースショートレンジワイヤレス技術
ブルーツースは、当初、ケーブルに置き換わるものとして意図されたショートレンジ無線ネットワークである。これは、８個までの装置が一緒に動作するネットワークを生成するのに使用できる。ブルーツース・スペシャル・インタレスト・グループ「Specification Of The Bluetooth System」、第１及び２巻、コア及びプロフィール：バージョン１．１、２００１年２月２２日、は、ブルーツース装置の動作及び通信プロトコルの原理を記述している。この装置は、工業、科学及び医療（ＩＳＭ）用途で一般的に使用するように指定された２．４ＧＨｚ無線帯域で動作する。ブルーツース装置は、１０メーターの無線通信レンジ内にある他のブルーツース装置を見つけ、そしてサービス発見プロトコル（ＳＤＰ）を使用してそれらがどんなサービスを提供するか発見するように設計される。
【０００４】
ＳＤＰサーチ機能は、固定アクセスポイント装置のような要求側ブルーツース装置と、移動ユーザ装置のような応答側ブルーツース装置との間に確立されるリンクに依存する。移動ユーザ装置がアクセスポイントの通信レンジ内に入ると、その搬送プロトコルグループ内のリンクコントローラ層が、問合せ及びページングパケットの交換を取り扱い、アクセスポイント装置との初期リンクを確立する。このプロセスは、比較的高速であり、通常、約１ないし５秒で完了する。次いで、搬送プロトコルグループ内の論理的リンク制御及び適応プロトコル（Ｌ２ＣＡＰ）層は、リンク状態をミドルウェアプロトコルグループ内の層まで通過させる。次いで、ミドルウェアプロトコルグループ内のＳＤＰサーチ機能を使用して、希望のサービスを提供できる応答側ブルーツース装置のアプリケーションプログラムを見出すことができる。ＳＤＰサーチ機能は、サーチの複雑さ及び装置登録の規模にもよるが、完了までに数秒を要する。
【０００５】
ＳＤＰサーチ機能により発見できるアプリケーションプログラムサービスの一例は、ワイヤレスアプリケーションプロトコル（ＷＡＰ）のワイヤレスアプリケーション環境（ＷＡＥ）グラフィックユーザインターフェイス（ＧＵＩ）機能である。ＷＡＰイネーブルされるワイヤレス装置は、マイクロブラウザを使用して、装置の小さなスクリーン上にコンテンツを表示することができる。ＷＡＰは、インターネットプロトコルを、移動装置と共に作用するように特に変更された他のプロトコルと組み合せて使用する。インターネットプロトコルは、ポイント対ポイントプロトコル（ＰＰＰ）、インターネットプロトコル（ＩＰ）、及びユーザデータグラムプロトコル（ＵＤＰ）である。特殊な移動装置プロトコルは、ワイヤレス搬送層セキュリティ（ＷＴＬＳ）、ワイヤレストランザクションプロトコル（ＷＴＰ）、ワイヤレスセッションプロトコル（ＷＳＰ）、及びワイヤレスアプリケーション環境（ＷＡＥ）である。ＷＡＰのためのマイクロブラウザユーザインターフェイスを与えるのは、ＷＡＥである。要求側アクセスポイント装置から応答側ユーザ装置のＷＡＥマイクロブラウザへコンテンツを送信するための接続を確立するには、ＷＡＰプロトコル層ＷＴＬＳ、ＷＴＰ、ＷＳＰ及びＷＡＥの各々を確立しなければならず、これは、完了までに更に数秒を要すると共に、おそらく途中でユーザの顕著な相互作用を必要とする。
【０００６】
ユーザの移動ブルーツース装置が、ネットワークサーバーからのデータのダウンロードを完了する前にブルーツースアクセスポイントの通信エリアを横断するに充分な速度を有する場合には、サーバーとの接触が回復不能に失われることが明らかである。
【０００７】
ＩＥＥＥ８０２．１１ワイヤレスＬＡＮ規格
ＩＥＥＥ８０２．１１ワイヤレスＬＡＮ規格は、少なくとも２つの異なる物理的（ＰＨＹ）仕様及び１つの共通媒体アクセス制御（ＭＡＣ）仕様を定義する。ＩＥＥＥ８０２．１１（ａ）規格は、２．４ＧＨｚのＩＳＭ帯域又は５ＧＨｚのＵ−ＮＩＩ帯域に対して設計されたもので、直交周波数分割多重（ＯＦＤＭ）を使用して、５４Ｍｂｐｓまでのデータレートを与える。ＩＥＥＥ８０２．１１（ｂ）規格は、２．４ＧＨｚのＩＳＭ帯域に対して設計されたもので、直接シーケンスの拡散スペクトル（ＤＳＳＳ）を使用して、１１Ｍｂｐｓまでのデータレートを与える。ＩＥＥＥ８０２．１１ワイヤレスＬＡＮ規格は、２つの主要要素、即ち移動ステーション及び固定アクセスポイント（ＡＰ）を記述している。ＩＥＥＥ８０２．１１ネットワークは、移動ステーションが固定アクセスポイントと通信する場合に構成することができる。又、ＩＥＥＥ８０２．１１は、ブルーツースのピコネットと同様の分散型アクティビティもサポートする。ＩＥＥＥ８０２．１１規格は、ブルーツースの問合せ及び走査特徴と同様のサービス問合せ特徴をワイヤレス装置に与える。
【０００８】
ＩＥＥＥ８０２．１１移動ステーションがネットワーク内の他のステーションと通信するために、先ず、ステーションを見つけねばならない。別のステーションを見つけるプロセスは、問合せにより行われる。アクティブな問合せは、問合せを送信しそしてネットワーク内の他のワイヤレスステーションから応答を呼び出すために問合せステーションを必要とする。アクティブな問合せでは、移動ステーションが探査要求フレームを送信する。この探査要求フレームにおけるサービス設定認識（ＳＳＩＤ）に一致するネットワークが同じチャンネル上にある場合には、そのネットワークのステーションが、問合せ側ステーションへ探査応答フレームを送信することにより応答する。この探査応答は、問合せ側ステーションがネットワークの記述にアクセスするのに必要な情報を含む。又、問合せ側ステーションは、他の受信した探査応答及びビーコンフレームも処理する。問合せ側ステーションが応答を処理するか、又は応答がないと判断すると、別のチャンネルへ切り換えて、プロセスを繰り返す。問合せが終わると、ステーションは、その付近のネットワークに関する情報を累積している。ステーションが問合せを実行し、１つ以上のネットワーク記述を得ると、そのステーションは、ネットワークの１つの加わることを選択する。ＩＥＥＥ８０２．１１ワイヤレスＬＡＮ規格は、ＩＥＥＥ８０２．１１−１９９９；ＩＥＥＥ８０２．１１ａ−１９９９；及びＩＥＥＥ８０２．１１ｂ−１９９９の３つのパートで発行されており、これらは、ＩＥＥＥインク、ウェブサイトｈｔｔｐ：／／ｇｒｏｕｐｅｒ．ｉｅｅｅ．ｏｒｇ／ｇｒｏｕｐ／８０２／１１から入手できる。
【０００９】
ＩＥＥＥ８０２．１１移動ステーションの場合に、ユーザの移動装置が、ネットワークサーバーからのデータのダウンロードを完了する前にＩＥＥＥ８０２．１１アクセスポイントの通信エリアを横断するに充分な速度であれば、サーバーとの接触が回復不能に失われる。
【００１０】
高性能無線ローカルエリアネットワーク（ハイパーＬＡＮ）
ハイパーＬＡＮ(HiperLAN)規格は、５４Ｍｂｐｓまでの高いデータレートと５０メーターの中間レンジとを伴うワイヤレスＬＡＮを提供する。ハイパーＬＡＮのワイヤレスＬＡＮは、ビデオＱｏＳ、指定のスペクトル及び良好なビル内伝播を伴うマルチメディア配布を与える。２つのハイパーＬＡＮ規格がある。ハイパーＬＡＮタイプ１は、ワイヤレスイーサネットと同様の動的なプライオリティ駆動のチャンネルアクセスプロトコルである。ハイパーＬＡＮタイプ２は、ＡＴＭのワイヤレスバージョンと同様の指定のチャンネルアクセスプロトコルである。ハイパーＬＡＮタイプ１及びハイパーＬＡＮタイプ２の両方は、５ＧＨｚの専用スペクトルを使用する。ハイパーＬＡＮタイプ１は、進歩型チャンネルイコライザを使用して、記号間干渉及び信号多経路を取り扱う。ハイパーＬＡＮタイプ２は、ＯＦＤＭ及び周波数変換機能を使用することによりこれら干渉問題を回避する。ハイパーＬＡＮタイプ２の仕様は、ビットレート６、１６、３６及び５４Ｍｂｐｓのオプションを与える。物理的層は、ＯＦＤＭ記号当たり４８個の搬送波周波数を使用するＯＦＤＭ多搬送波機構を採用する。各搬送波は、ＢＰＳＫ、ＱＰＳＫ、１６−ＱＡＭ又は６４−ＱＡＭを使用して変調され、異なるデータレートを与える。高いビットレートに対して選択される変調機構は、３０−５０Ｍｂｐｓの範囲のスループットを達成する。
【００１１】
ハイパーＬＡＮタイプ１は、ワイヤレス装置のネットワークを形成することのできる動的なプライオリティ駆動のチャンネルアクセスプロトコルである。ハイパーＬＡＮタイプ１のネットワークは、ブルーツースピコネット及びＩＥＥＥ８０２．１１独立基本サービスセット（ＩＢＳＳ）と同様の分散型アクティビティをサポートする。ハイパーＬＡＮタイプ１規格は、ブルーツース問合せ及び走査特徴並びにＩＥＥＥ８０２．１１探査要求及び応答特徴と同様のサービス問合せ特徴を伴うワイヤレス装置を提供する。ハイパーＬＡＮタイプ１の動作原理の概要は、出版物「HiperLAN Type 1 Standard」、ＥＴＳＩ  ＥＴＳ３００  ６５２、ＷＡ２、１９９７年１２月に記載されている。
【００１２】
ハイパーＬＡＮタイプ２は、ネットワークを形成する指定のチャンネルアクセスプロトコルである。ハイパーＬＡＮタイプ２ネットワークは、ハイパーＬＡＮタイプ１ネットワーク、ブルーツースピコネット、及びＩＥＥＥ８０２．１１独立基本サービスセット（ＩＢＳＳ）と同様の分散型アクティビティをサポートする。ハイパーＬＡＮタイプ２は、６ＭＨｚから５４Ｍｂｐｓの典型的なデータレートで高速無線通信を与える。これは、ポータブル装置を、ＩＰ、ＡＴＭ、及び他の技術に基づく広帯域ネットワークと接続する。集中モードを使用し、ハイパーＬＡＮタイプ２が、固定アクセスポイントを経てアクセスネットワークとして動作される。固定アクセスポイントの中央コントローラ（ＣＣ）は、移動ステーションのアクセスをサポートするＱｏＳ座標を与える。ユーザの移動は、ローカルサービスエリア内でサポートされ、そしてワイドエリアローミング移動をサポートすることもできる。ハイパーＬＡＮタイプ２の動作原理の概要は、ブロードバンド無線アクセスネットワーク（ＢＲＡＮ）、「HiperLAN Type 2: System Overview」、ＥＴＳＩ  ＴＲ１０１  ６８３ＶＩ．１．１（２０００−０２）に掲載され、そしてその特定のネットワークアーキテクチャーの詳細な使用は、「HiperLAN Type 2, Data Link Control (DLC) Layer; Part 4. Extension for Home Environment」ＥＴＳＩ  ＴＲ１０１  ７６１−４ＶＩ．２．１（２０００−１２）に掲載されている。
【発明の開示】
【発明が解決しようとする課題】
【００１３】
ハイパーＬＡＮ移動ステーションの場合に、ユーザの移動装置が、ネットワークサーバーからのデータのダウンロードを完了する前にハイパーＬＡＮアクセスポイントの通信エリアを横断するに充分な速度であれば、サーバーとの接触が回復不能に失われる。
従って、ショートレンジワイヤレスアクセスポイントを経て行われていたウェブサイトとのインターネット接触であって、移動装置がアクセスポイントのカバレージエリアから移動して出ることにより中断されたインターネット接触を移動ワイヤレス装置が再開できるようにする方法が要望される。
【課題を解決するための手段】
【００１４】
本発明は、ショートレンジワイヤレスアクセスポイントを経て行われていたウェブサイトとのインターネット接触であって、移動装置がアクセスポイントのカバレージエリアから移動して出ることにより中断されたインターネット接触を移動ワイヤレス装置が再開できるようにするという問題を解消する。ショートレンジワイヤレスシステムは、ワイヤレスパーソナルエリアネットワーク（ＰＡＮ）、例えば、ブルーツースネットワーク及びＩｒＤＡ赤外線データプロトコルネットワークと、ワイヤレスローカルエリアネットワーク（ＬＡＮ）、例えば、ＩＥＥＥ８０２．１１ワイヤレスＬＡＮ及びハイパーＬＡＮネットワークとを備えている。本発明は、ショートレンジワイヤレス通信回路と、セルラー電話通信回路との両方が設けられた移動ワイヤレス装置の使用を伴う。このような移動ワイヤレス装置の一例は、ブルーツース装備のセルラー電話である。
【００１５】
移動ワイヤレス装置は、ショートレンジワイヤレスアクセスポイントのカバレージエリア内にある時間中に、ネットワークサーバーからインターネットを経て得られるサービスの要求を送信する。ショートレンジワイヤレスアクセスポイントは、その要求を、アクセスポイントのネットワークアドレス及び地理的位置を含む付加的な情報を追加して、インターネットを経てサーバーへ転送する。ショートレンジワイヤレスアクセスポイントは、サーバーからインターネットを経て、グローバル／ローカルパラメータを含む応答メッセージを受信する。このグローバル／ローカルパラメータは、要求されたサービスがショートレンジワイヤレスアクセスポイントのカバレージエリアの外側で利用できるかどうか移動ワイヤレス装置に通知する。アクセスポイントは、応答メッセージを移動ワイヤレス装置に転送し、この装置は、メッセージ内の情報を使用して、インターネットを経てサーバーに接触し、ウェブページをダウンロードしたり又は他のサービス動作を行ったりする。
【００１６】
ショートレンジワイヤレスアクセスポイントのカバレージエリア外の領域は、セルラー電話ベースステーションのような領域セルラー電話アクセスポイントによりカバーされる。適当なセルラー電話システムは、ＧＳＭ、ＧＰＲＳ、ＵＭＴＳ、ＥＤＧＥ等を含む。本発明によれば、移動ワイヤレス装置は、それがサーバーと接触する間にショートレンジワイヤレスアクセスポイントのカバレージエリアを去ったことを検出すると、グローバル／ローカルパラメータが、サービスがグローバルであることを指示するかどうか決定する。例えば、サーバーは、ウェブページをダウンロードするプロセスにあってもよい。パラメータがグローバルである場合には、移動ワイヤレス装置は、サーバーのＵＲＬのブックマークを記憶し、例えば、サーバーからダウンロードされた以前のウェブページの１つに対するＵＲＬ及び経路名を記憶する。移動ワイヤレス装置は、領域セルラー電話ネットワークを経てサーバーとの接触を続ける選択肢をユーザに与える通知をユーザに表示する。
【００１７】
ユーザがサーバーとの接触を続けることを選択すると、記憶されたハンドオーバーアドレスがアクセスされる。ハンドオーバーアドレスは、移動ワイヤレス装置に記憶されてもよいし、又はショートレンジワイヤレスアクセスポイントに記憶されてもよい。記憶されたハンドオーバーアドレスは、デフォールトアドレスでもよいし、又はサーバーからの以前の応答メッセージに含まれたハンドオーバーアドレスでもよい。ハンドオーバーアドレスは、通常、セルラー電話ネットワークとインターネットとの間に接続されたＷＡＰゲートウェイのようなプロトコルゲートウェイの電話番号である。セルラー電話接続は、移動ワイヤレス装置により領域セルラー電話アクセスポイントと形成される。次いで、セルラー電話コールがプロトコルゲートウェイへ発生される。コールが移動ワイヤレス装置から電話ネットワークを経てプロトコルゲートウェイへと完成すると、移動ワイヤレス装置は、プロトコルゲートウェイへメッセージを送信する。
【００１８】
例えば、移動ワイヤレス装置がワイヤレスアプリケーションプロトコル（ＷＡＰ）を含み、そしてプロトコルゲートウェイがＷＡＰゲートウェイである場合には、移動ワイヤレス装置においてワイヤレスセッションプロトコル（ＷＳＰ）要求を発生することができる。このＷＳＰ要求は、移動ワイヤレス装置のアプリケーションプログラムにおいてサーバーＵＲＬを指定するワイヤレスマークアップ言語（ＷＭＬ）「＜ｇｏ＞」エレメントにより発生される。メッセージは、ＨＴＴＰ要求方法、即ちＧＥＴ又はＰＯＳＴのいずれかの方法を含むことができる。ＧＥＴが使用される場合には、サーバーへ送信されるデータがＵＲＬの終りに添付される。ＰＯＳＴが使用される場合には、データがメッセージの本体に通される。次いで、ＷＡＰゲートウェイは、ＷＳＰ要求をＨＴＴＰ要求へ変換し、そしてインターネットを経てネットワークサーバーへ転送する。
【００１９】
要求に基づき、サーバーは、移動ワイヤレス装置との以前の接触において以前に行ったオペレーションを再開することにより応答する。例えば、ＷＭＬ、ＨＴＭＬ、又はグラフィックファイルをサーバーによりＷＡＰゲートウェイに返送することができる。例えば、サーバーは、ＧＥＴ方法要求に応答して、要求されたウェブページをプロトコルゲートウェイへ送信することができる。或いは又、サーバーは、それに応答して、ＣＧＩ、ＡＳＰ又はＪＳＰスクリプト又は他のサーバープログラムを実行し、ＷＭＬ又はＨＴＭＬコンテンツを動的に発生してＷＡＰゲートウェイへ返送することができる。次いで、プロトコルゲートウェイは、コンテンツのＨＴＭＬからＷＭＬへの変換を実行した後に、ＷＭＬエンコードを実行して、ＷＳＰ応答メッセージを形成することができる。ＷＳＰ応答メッセージは、次いで、ＷＡＰゲートウェイにより電話ネットワークを経てセルラー電話アクセス装置へ送信される。セルラー電話アクセス装置は、次いで、コンテンツを含むＷＳＰ応答メッセージを、セルラー電話エアリンクを経て移動ワイヤレス装置へ送信する。
【００２０】
サービスを再開するときには、付加的な選択肢をユーザに与えることができる。或いは又、ユーザがターミナルメモリにＵＲＬリンクをセーブし、デジタルビデオ放送又は他の放送媒体を経て後でサービスを続けるように選択してもよい。
このように、移動ワイヤレス装置は、ショートレンジワイヤレスアクセスポイントを経て行われていたウェブサイトとのインターネット接触であって、移動装置がショートレンジワイヤレスアクセスポイントのカバレージエリアから移動して出ることにより中断されたインターネット接触を再開することができる。
【発明を実施するための最良の形態】
【００２１】
図１は、ユーザのワイヤレス装置１００を、２つのショートレンジワイヤレスアクセスポイント１４０及び１４０Ａ付近の第１位置「Ａストリート」において示すと共に、その後、領域セルラー電話アクセスポイント１４８付近の第２位置「Ｂストリート」において示している。図１の移動ワイヤレス装置１００には、ショートレンジワイヤレスシステムのための回路１０３と、セルラー電話通信システムのための回路１０５とが設けられる。ショートレンジワイヤレスシステムは、ワイヤレスパーソナルエリアネットワーク（ＰＡＮ）、例えば、ブルーツースネットワーク及びＩｒＤＡ赤外線データプロトコルネットワークと、ワイヤレスローカルエリアネットワーク（ＬＡＮ）、例えば、ＩＥＥＥ８０２．１１ワイヤレスＬＡＮ及びハイパーＬＡＮネットワークとを備えている。セルラー電話通信システムは、ＧＳＭ、ＧＰＲＳ、ＵＭＴＳ、ＥＤＧＥ等を含む。このような移動ワイヤレス装置１００の一例は、ブルーツース装備のＧＳＭセルラー電話である。
【００２２】
移動ワイヤレス装置１００がショートレンジワイヤレスアクセスポイント１４０のカバレージエリア内にある時間中に、例えば、ネットワークサーバー１８０からインターネット１４４を経てサービスを得るための要求を送信する。この例では、ショートレンジワイヤレスアクセスポイント１４０は、ブルーツースアクセスポイントであり、そして移動ワイヤレス装置１００のショートレンジワイヤレス回路は、ブルーツース回路である。ユーザは、キーパッド１０４上のブルーツースモードボタン「ＢＴ」を既に操作しており、そしてブルーツース回路は、ブルーツースアクセスポイント１４０との問合せ、ページング及びサービス発見パケットの交換を完了している。この例では、ユーザは、サーバー１８０により提供されるディリーニュースサービスを見ることを希望する。
【００２３】
図１Ａは、アクセスポイント１４０においてユーザのサービス要求を処理するフローチャートである。ステップ３４０は、図１Ｃに示されたユーザ要求４２０を受け取る。ユーザの要求４２５に対するブルーツースパケット構造４２０は、移動ブルーツース装置１００及びブルーツースアクセスポイント１４０により形成されたピコネットのピコネットマスターに対するアクセスコード４２２と、スレーブ装置番号４２１及びパケットタイプ４２３を含むヘッダ４２４と、ペイロード部分とを備えている。ペイロード部分は、ペイロードヘッダ４２７及びペイロードデータ４２８を含む。サーバー１８０へのユーザサービス要求４２５は、ペイロードデータ４２８に含まれる。
【００２４】
図１Ａのフローチャートのステップ３４２において、ブルーツースアクセスポイントは、ユーザサービス要求４２５を増強サービス要求メッセージ４４０においてサーバー１８０へ転送する。図１Ｅは、ユーザ装置１００からアクセスポイント１４０により増強サービス要求メッセージ４４０において例えばＬＡＮ１４２及びインターネット１４４を経てコンテンツサーバー１８０へ転送されるサービス要求４２５を示すデータ流れ図である。増強サービス要求メッセージ４４０は、ペイロードデータ２８１と、ユーザのブルーツース装置１００のアドレス２８４と、装置のクラス２８６と、アクセスポイントの地理的位置情報２８８と、アクセスポイントアドレス２９０と、行先サーバー経路名２９２と、行先サーバーＵＲＬ２９４とを含む。図１Ｅは、ニュースサーバー１８０へ送信される増強サービス要求メッセージ４４０を示している。
【００２５】
図１Ａのフローチャートのステップ３４４において、ブルーツースアクセスポイントは、サーバー１８０から、図１Ｆに示す応答メッセージ４３５を受け取る。図１Ｆは、コンテンツサーバー１８０が、ローカル／グローバルパラメータ５５７及びハンドオフアドレス５８２を含む応答メッセージ４３５をアクセスポイント１４０へ返送するところを示すデータ流れ図である。ローカル／グローバルパラメータ５５７は、サーバー１８０からのサービスが別のチャンネル又はベアラを経ても到達し得るかどうか指定する。応答メッセージ４３５は、ローカル／グローバルパラメータ５５７を含むと共に、プライオリティ情報５５８、タイマー情報５６０、表示モード情報５６２、コンテンツ５６４、タイトル５６６、ビットマップ５６８、ｓｏｆｔ  ｋｅｙ＿１選択情報５７０、ｓｏｆｔ  ｋｅｙ＿２選択情報５７２、ｓｏｆｔ  ｋｅｙ＿３選択情報５７４、位置情報５７６、ＵＲＬ情報５７８、サービスタイプ情報５８０、ハンドオフアドレス５８２、及びエンドマーカー５８４も含む。
【００２６】
図１Ａのフローチャートのステップ３４６において、ブルーツースアクセスポイントは、図１Ｄ及び１Ｇに示すように、応答メッセージ４３５をユーザのブルーツース装置１００へ転送する。図１Ｄは、アクセスポイント１４０がサーバー１８０からユーザ装置１００へ応答メッセージ４３５を転送するためのブルーツースパケット構造４３０を示す。図１Ｇは、アクセスポイント１４０が応答メッセージ４３５をユーザの移動装置１００へ送信するところを示すデータ流れ図である。ユーザの要求４３５に対するブルーツースパケット構造４３０は、移動ブルーツース装置１００及びブルーツースアクセスポイント１４０により形成されたピコネットにおけるピコネットマスターに対するアクセスコード４３２と、スレーブ装置番号４３１及びパケットタイプ４３３を含むヘッダ４３４と、ペイロード部分４３６とを含む。ペイロード部分は、ペイロードヘッダ４３７及びペイロードデータ４３８を含む。応答メッセージ４３５は、ペイロードデータ４３８に含まれる。図１Ｂは、移動ワイヤレス装置１００における処理を示すフローチャートである。ステップ３５０において、移動ワイヤレス装置１００は、サーバー応答メッセージ４３５を受信し、そしてステップ３５２において、図１Ｊに示すように、ローカル／グローバルパラメータ５５７をそのメモリ２０２のバッファに記憶する。任意であるが、移動ワイヤレス装置１００は、ハンドオーバーアドレス５８２を受け取り、図１Ｊに示すように、そのメモリ２０２のバッファにそれを記憶する。移動ワイヤレス装置１００は、サーバー応答メッセージ４３５の情報を使用して、インターネットを経てサーバーに接触し、ウェブページをダウンロードするか、又は他のサーバーオペレーションを実行する。
【００２７】
図１のショートレンジワイヤレスアクセスポイント１４０のカバレージエリア外の領域は、通常、セルラー電話ベースステーションのような領域セルラー電話アクセスポイント１４８によりカバーされる。適当なセルラー電話システムは、ＧＳＭ、ＧＰＲＳ、ＵＭＴＳ、ＥＤＧＥ等を含む。本発明によれば、移動ワイヤレス装置１００は、それがサーバー１８０と接触する間にショートレンジワイヤレスアクセスポイント１４０のカバレージエリアを去ったことを検出した場合に、グローバル／ローカルパラメータ５５７が、サービスがグローバルであることを指示するかどうか決定する。この段階は、図１Ｂにステップ３５４として示されている。判断ブロック３５６が、パラメータ５５７が「ローカル」であると決定した場合には、ステップ３５８においてサーバー１８０とのサービスが終了される。或いは又、判断ブロック３５６が、パラメータ５５７が「グローバル」であると決定した場合には、図１Ｂのプロセスは、ステップ３６０へ進む。一例として、サーバー１８０は、移動装置１００の移動により中断されたときにウェブページをダウンロードするプロセスにあったとする。パラメータ５５７がグローバルである場合には、移動ワイヤレス装置１００は、ステップ３６０に示すように、サーバーＵＲＬ１２３のブックマークを記憶する。例えば、ＵＲＬ及び経路名は、サーバー１８０からダウンロードされた以前のウェブページの１つに対してセーブされる。次いで、ステップ３６２において、移動ワイヤレス装置１００は、図１において、通知１２１「ＧＬＯＢＡＬ（グローバル）」又は同様の意味をもつある表現を示し、領域セルラー電話ネットワーク１１６を経てサーバー１８０との接触を続けるという選択肢をユーザに与える。
【００２８】
ユーザがサーバーとの接触を続けることを選択した場合には、記憶されたハンドオーバーアドレスが、ステップ３６４に示すようにアクセスされる。ハンドオーバーアドレスは、移動ワイヤレス装置１００に記憶されてもよいし、又はショートレンジワイヤレスアクセスポイント１４０に記憶されてもよい。記憶されたハンドオーバーアドレスは、デフォールトアドレスでもよいし、又はサーバー１８０からの以前のサーバー応答メッセージ４３５に含まれたハンドオーバーアドレスでもよい。ハンドオーバーアドレスは、通常、セルラー電話ネットワーク１１６とインターネット１４４との間に接続されたＷＡＰゲートウェイのようなプロトコルゲートウェイ１１８の電話番号である。ステップ３６４において、ユーザは、キーパッド１０４上のセルラー電話モードボタン「ＧＳＭ」を操作し、そして移動ワイヤレス装置１００と領域セルラー電話アクセスポイント１４８との間にセルラー電話接続を形成する。次いで、セルラー電話コールが電話ネットワーク１１６を経てプロトコルゲートウェイ１１８へ発信される。移動ワイヤレス装置１１０から電話ネットワーク１１６を経てプロトコルゲートウェイ１１８へのコールが完成すると、移動ワイヤレス装置１００は、プロトコルゲートウェイ１１８へメッセージを送信する。
【００２９】
例えば、移動ワイヤレス装置１００がワイヤレスアプリケーションプロトコル（ＷＡＰ）を含み、そしてプロトコルゲートウェイがＷＡＰゲートウェイである場合には、移動ワイヤレス装置１００においてワイヤレスセッションプロトコル（ＷＳＰ）要求を発生することができる。このＷＳＰ要求は、移動ワイヤレス装置１００のアプリケーションプログラム１０６においてサーバーＵＲＬを指定するワイヤレスマークアップ言語（ＷＭＬ）「＜ｇｏ＞」エレメントにより発生される。メッセージは、ＨＴＴＰ要求方法、即ちＧＥＴ又はＰＯＳＴのいずれかの方法を含むことができる。ＧＥＴが使用される場合には、サーバー１８０へ送信されるデータがＵＲＬの終りに添付される。ＰＯＳＴが使用される場合には、データがメッセージの本体に通される。次いで、ＷＡＰゲートウェイ１１８は、ＷＳＰ要求をＨＴＴＰ要求へ変換し、そしてインターネット１４４を経てサーバー１８０へ転送する。
【００３０】
要求に基づき、サーバー１８０は、移動ワイヤレス装置１００との以前の接触において以前に行ったオペレーションを再開することにより応答する。例えば、ＷＭＬ、ＨＴＭＬ、又はグラフィックファイルをサーバー１８０によりＷＡＰゲートウェイ１１８に返送することができる。例えば、サーバー１８０は、ＧＥＴ方法要求に応答して、要求されたウェブページをプロトコルゲートウェイ１１８へ送信することができる。或いは又、サーバー１８０は、それに応答して、ＣＧＩ、ＡＳＰ又はＪＳＰスクリプト又は他のサーバープログラムを実行し、ＷＭＬ又はＨＴＭＬコンテンツを動的に発生してＷＡＰゲートウェイ１１８へ返送することができる。次いで、プロトコルゲートウェイ１１８は、コンテンツのＨＴＭＬからＷＭＬへの変換を実行した後に、ＷＭＬエンコードを実行して、ＷＳＰ応答メッセージを形成することができる。ＷＳＰ応答メッセージは、次いで、ＷＡＰゲートウェイ１１８により電話ネットワーク１１６を経てセルラー電話アクセス装置１４８へ送信される。セルラー電話アクセス装置１４８は、次いで、コンテンツを含むＷＳＰ応答メッセージを、セルラー電話エアリンクを経て移動ワイヤレス装置１００のセルラー電話アンテナ１０５及び回路２０８へ送信する。サービスを再開するときにユーザに付加的な選択肢を与えることができる。或いは又、ユーザは、ＵＲＬリンクをターミナルメモリにセーブし、そしてデジタル放送又は他の放送媒体を経て後でサービスを続けるように選択してもよい。
【００３１】
このように、移動ワイヤレス装置は、ショートレンジワイヤレスアクセスポイントを経て行われていたウェブサイトとのインターネット接触であって、移動装置がショートレンジワイヤレスアクセスポイントのカバレージエリアから移動して出ることにより中断されたインターネット接触を再開することができる。この本発明のシステムは、他の既存の又は将来のプロトコル技術でも容易に実施することができる。
【００３２】
本発明は、ワイヤレスアプリケーションプロトコル（ＷＡＰ）規格を実施する移動ワイヤレス装置及びワイヤレス電話について説明する。インターネットにアクセスするために本発明に使用できる他のプロトコルは、Ｉ−モードプロトコル及び移動ＩＰｖ６プロトコルを含む。ユーザのＷＡＰイネーブル型移動ワイヤレス装置１００は、ワイヤレス移動電話、ページャー、両方向無線、スマートフォン、パーソナルコミュニケーター等である。ユーザのＷＡＰイネーブル型ポータブルワイヤレス装置１００は、デッキと称される小さなファイルにアクセスし、このファイルは、装置のマイクロブラウザ１０２の表示エリアに適合するに充分なほど小さいカードと称される多数のより小さなページで構成される。マイクロブラウザ１０２の小さなサイズと、小さなファイルのサイズは、ポータブルワイヤレス装置１００の低メモリ制約と、ワイヤレスネットワークの低帯域巾制約とを受け入れる。カードは、キーボードをもたない小さなスクリーン及び片手ナビゲーションに対して特に案出されたワイヤレスマークアップ言語（ＷＭＬ）で書かれる。このＷＭＬ言語は、セルラー電話のマイクロブラウザ１０２における２行のテキスト表示から、スマートフォン及びパーソナルコミュニケーターに見られる大型ＬＣＤスクリーンへと拡張することができる。ＷＭＬ言語で書かれたカードは、ＷＭＬＳｃｒｉｐｔで書かれたプログラムを含むことができ、これは、ＪａｖａＳｃｒｉｐｔと同様であるが、他のスクリプト言語に見られる多数の不必要な機能を含まないので装置１００のメモリ及びＣＰＵパワーに最小の要求しか課さない。マイクロブラウザ１０２は、ユーザが、表示されたカードを経てナビゲートできるようにすると共に、アプリケーションプログラム１０６によりプログラムされたオプションを選択できるようにする。
【００３３】
ノキアＷＡＰクライアントバージョン２．０は、ワイヤレス装置１００においてＷＡＰクライアントを実施するに必要なコンポーネントを含むソフトウェア製品である。これらコンポーネントは、ワイヤレスマークアップ言語（ＷＭＬ）ブラウザ、ＷＭＬＳｃｒｉｐｔエンジン、プッシュサブシステム、及びワイヤレスプロトコルスタックを含む。ノキアＷＡＰクライアントは、移動電話及びワイヤレスＰＤＡのようなワイヤレス装置へのポートでありそしてそれに一体化できるソースコード製品である。ワイヤレス装置１００に記憶されたアプリケーションプログラム１０６は、ＷＡＰクライアントと相互作用して、種々の通信アプリケーションを実施する。ノキアＷＡＰクライアントバージョン２．０の詳細は、オンライン文書「Nokia WAP Client Version 2.0 Product Overview」、ノキア・インターネット・コミュニケーションズ、２０００、ｗｗｗ．ｎｏｋｉａ．ｃｏｍ／ｃｏｒｐｏｒａｔｅ／ｗａｐに見ることができる。
【００３４】
ＷＡＰクライアントは、ワイヤレスパブリックキーインフラストラクチャー（ＰＫＩ）特徴を含み、これは、サーバー及び移動クライアントの認証及びデジタル符牒に必要なインフラストラクチャー及び手順を与える。ワイヤレスＰＫＩは、移動トランザクションに含まれる各当事者に関連したパブリック／プライベートキー対を使用する証明書ベースのシステムである。ワイヤレス認識モジュール（ＷＩＭ）は、ＷＡＰクライアントのセキュリティトークン特徴で、これは、ユーザ認証及びデジタル符牒に必要とされるパブリック及びプライベートキー並びにサービス証明書のようなセキュリティ特徴を含む。更に、これは、暗号化動作を実行してメッセージを暗号化しそして解読する能力も有する。
【００３５】
ＷＡＰプロトコルゲートウェイ１１８は、インターネット１４４及び電話ネットワーク１１６をリンクする。ＷＡＰプロトコルゲートウェイ１１８は、ワイヤレス装置１００への機密インターネット接続を与える助けをするためのワイヤレスパブリックキーインフラストラクチャー（ＰＫＩ）特徴を備えている。ＷＡＰプロトコルゲートウェイ１１８は、ＷＡＰイネーブル型ワイヤレス装置１００が、ヘッドラインニュースや交換レートやスポーツの結果や株相場やオンラインの旅行及び銀行サービスのようなインターネットアプリケーションにアクセスするか、又は特別なリンギングトーンをダウンロードすることができるようにする。
【００３６】
ユーザのＷＡＰイネーブル型ポータブルワイヤレス装置１００は、セルラー電話アクセスポイント１４８と通信し、そして数キロメーターまでの距離に対してメッセージを交換することができる。ＷＡＰ規格によりサポートされるワイヤレスネットワークのタイプは、ＧＳＭ、ＧＰＲＳ、ＵＭＴＳ、ＥＤＧＥ、ＣＤＰＤ、ＣＤＭＡ、ＴＤＭＡ、３Ｇブロードバンド等を含む。
ユーザのＷＡＰイネーブル型ワイヤレス装置（クライアント）１００からＷＡＰプロトコルゲートウェイ１１８を経てサーバー１８０へ行われる通信の全プロセスは、その経路が類似している。
【００３７】
ウェブページは、ハイパーテキスト転送プロトコル（ＨＴＴＰ）又はワールドワイドウェブプロトコルを使用してインターネットにおいてサービスされる。
［１］ユーザは、サーバー１８０のユニフォーム・リソース・ロケーター（ＵＲＬ）に関連したユーザ装置１００における電話キーを押圧する。
［２］ユーザ装置１００は、ＷＡＰプロトコルを使用してセルラー電話アクセスポイント１４８及び電話ネットワーク１１６を経てゲートウェイ１１８へＵＲＬを送信する。
［３］ゲートウェイ１１８は、ＷＡＰ要求をＨＴＴＰ要求に変換し、そして送信コントロールプロトコル／インターネットプロトコル（ＴＣＰ／ＩＰ）インターフェイスによりインターネット１４４を経てサーバー１８０へそれを送信する。
【００３８】
［４］サーバー１８０は、インターネットを経て受け取られる他のＨＴＴＰ要求のようにその要求を取り扱う。サーバー１８０は、例えば、共通ゲートウェイインターフェイス（ＣＧＩ）プログラム、Ｊａｖａサーブレット等で書かれた標準的サーバープログラムを使用して、ＷＭＬデッキ又はハイパーテキストマークアップ言語（ＨＴＭＬ）ページをゲートウェイ１１８へ返送する。
［５］ゲートウェイ１１８は、ユーザ装置１００に代わってサーバー１８０から応答を受け取る。その応答がＨＴＭＬページである場合には、必要に応じてＷＭＬへトランスコードする。次いで、ＷＭＬ及びＷＭＬＳｃｒｉｐｔがバイトコードにエンコードされ、これが次いでユーザ装置１００へ送信される。
［６］ユーザ装置１００は、ＷＭＬバイトコードで応答を受け取り、そしてマイクロブラウザ１０２のデッキにおける第１カードをユーザに表示する。
【００３９】
図１において、プロトコルゲートウェイ１１８は、５つの異なる層に編成されたＷＡＰプロトコルスタックを備えている。アプリケーション層は、ポータブルアプリケーション及びサービスを実行するワイヤレスアプリケーション環境である。セッション層は、クライアント／サーバーアプリケーション間でコンテンツの編成された交換を行う方法を供給するワイヤレスセッションプロトコルである。トランザクション層は、信頼性のあるトランザクションを実行するための方法を与えるワイヤレストランザクションプロトコルである。セキュリティ層は、認証、プライバシー及びアプリケーション間の機密接続を与えるワイヤレス搬送層セキュリティである。搬送層は、ＧＳＭ、ＧＰＲＳ、ＵＭＴＳ、ＥＤＧＥ等の種々のワイヤレスネットワークプロトコルの独特の要件から上位層を保護するワイヤレスデータグラムプロトコルである。ＷＡＰ規格及びＷＡＰプロトコルスタックに関する付加的な情報は、２０００年にＷｒｏｘ  Ｐｒｅｓｓ  Ｌｔｄにより出版された「Professional WAP」と題するチャールズ・アレハート氏等の文献に見ることができる（ＩＳＢＮ  １−８６１００４−０４−１）。
【００４０】
図１Ｈは、ユーザのブルーツース装置１００、ブルーツースアクセスポイント１４０及びコンテンツサーバー１８０に使用するための公知の各プロトコルスタックを示す。ブルーツースの仕様書に詳細に説明されているように、ブルーツース装置のプロトコルスタックは、搬送プロトコルグループ、ミドルウェアプロトコルグループ及びアプリケーショングループの３つのプロトコルグループで形成される。搬送プロトコルグループは、リンクコントローラ及び基本帯域２１６と、リンクマネージャー２１８と、論理的リンク制御及び適応プロトコル（Ｌ２ＣＡＰ）２２０’とを備えている。搬送プロトコルグループは、ブルーツース装置が互いに探索し合い、そして上位層プロトコル及びアプリケーションがこれらの搬送プロトコルを経てデータを通過するのを許す物理的及び論理的リンクを生成し、構成しそして管理できるようにする。ミドルウェアプロトコルグループは、ＲＦＣＯＭＭと称するシリアルポートエミュレータプロトコルと、インターネットプロトコル、即ちポイント対ポイントプロトコル（ＰＰＰ）、インターネットプロトコル（ＩＰ）及びユーザデータグラムプロトコル（ＵＤＰ）とを含む。アプリケーショングループは、ワイヤレスアプリケーションプロトコル（ＷＡＰ）と、ワイヤレスアプリケーション環境（ＷＡＥ）と、グラフィックユーザインターフェイス（ＧＵＩ）プログラム２３４及びアプリケーションプログラムとを含む。又、ユーザ装置１００に対して、サービス発見プロトコル（ＳＤＰ）も示されており、これは、装置が、他のブルーツース装置により提供されるサービスを発見できるようにする。これは、公知のブルーツースプロトコルスタックを構成する。図１Ｈに示されたように、アクセスポイント１４０は、同じ搬送プロトコルグループ及びミドルウェアプロトコルグループプロトコル層を含む。又、図１Ｈには、ゲートウェイノード１４６も示されており、これは、ＵＤＰ、ＩＰ及びＰＰＰ層を含む。コンテンツサーバー１８０は、ミドルウェア層と、アプリケーショングループのＷＡＰ及びＷＡＥ層とを含む。図１Ｈの目的は、公知技術ではユーザ装置１００がコンテンツサーバー１８０から最も簡単なコンテンツ５６４も受信するためにミドルウェアプロトコルグループ及びアプリケーショングループの全プロトコル層を設定する必要があることを示すことである。アクセスポイント装置１４０との接続を確立するためにユーザ装置１００において全てのプロトコル層を設定するのに要する時間は、ユーザ装置１００がアクセスポイント１４０の通信レンジ内にいる短いインターバルを越えるものである。
【００４１】
図１Ｉは、本発明の別の実施形態に基づきアクセスポイントサービスインジケータ（ＡＰＳＩ）メッセージ５５０によりコンテンツ５６４を交換するユーザのブルーツース装置１００及びアクセスポイント１４０に対する各プロトコルスタックを示す。以下に述べるように、本発明の１つの別の実施形態によれば、ユーザ装置１００のＬ２ＣＡＰ層２２０は、アクセスポイント１４０においてＬ２ＣＡＰ層２２０からのページングパケット又は問合せ応答パケットのいずれかで独特の装置クラス（ＣｏＤ）値を検出するように変更される。ユーザ装置１００は、独特のＣｏＤ値をもつページングパケットの到着を検出すると、アクセスポイント１４０により送信されるべき次のパケットがアクセスポイントサービス指示（ＡＰＳＩ）メッセージであることを指示する。次いで、ユーザ装置１００がアクセスポイントから次のパケットを受け取ると、ユーザ装置１００のＬ２ＣＡＰ層２２０がそれをＡＰＳＩメッセージバッファ２３６へロードする。Ｌ２ＣＡＰ層は、ＡＰＳＩメッセージ５５０のパケットヘッダが、それが実際にアクセスポイントからのＡＰＳＩメッセージであることを指示する独特のメッセージＩＤを有することを確認する。次いで、Ｌ２ＣＡＰ層は、ＡＰＳＩメッセージを直ちにＧＵＩアプリケーション層２３４まで直接通過させ、これにより、ユーザ装置１００においてミドルウェアプロトコル層及びＷＡＰ層をバイパスさせる。これは、ユーザ装置１００がＡＰＳＩメッセージ５５０に含まれたコンテンツ５６４を受け取って表示できるようにするための接続を設定するのに要する時間を著しく減少させる。
【００４２】
又、図１Ｉには、アクセスポイント装置１４０によるコンテンツメッセージ６２０の受信も示されている。以下に述べるように、アクセスポイント装置１４０が、そのメモリに記憶されたＡＰＳＩメッセージ５５０を現在有していない場合には、アクセスポイント１４０は、図１のコンテンツサーバー１８０のようなコンテンツサーバーからコンテンツ５６４にアクセスする。それにより得られるコンテンツメッセージ６２０は、コンテンツ５６４を含み、これは、アクセスポイント１４０により図１ＩのＡＰＳＩメッセージ５５０へと組み立てられる。
【００４３】
本発明の別の実施形態によれば、ユーザのブルーツース装置１００は、到着するＡＰＳＩメッセージ５５０の以前の指示を受信する必要がない。この別の実施形態では、ページングが首尾良く行われた直後に、独特のメッセージＩＤを有するＡＰＳＩメッセージ５５０のパケットがユーザ装置１００により受け取られる。ユーザのブルーツース装置Ｌ２ＣＡＰ層は、メッセージが実際にアクセスポイント装置１４０からのＡＰＳＩメッセージ５５０であることを決定する。ユーザのブルーツース装置Ｌ２ＣＡＰ層は、ＡＰＳＩメッセージをＡＰＳＩメッセージバッファ２３６にロードする。次いで、Ｌ２ＣＡＰ層は、直ちにＡＰＳＩメッセージをＧＵＩアプリケーション層２３４まで直接通過させ、これにより、ユーザ装置１００におけるミドルウェアプロトコル層及びＷＡＰ層をバイパスさせる。これは、ユーザ装置１００がＡＰＳＩメッセージ５５０に含まれたコンテンツ５６４を受信して表示できるようにするための接続を設定するに必要な時間を著しく短縮する。
【００４４】
図１Ｊは、ユーザのブルーツース装置１００の機能的ブロック図で、本発明によるＡＰＳＩメッセージバッファ２３６を示す。図１Ｊは、バス２０４により、ブルーツース無線２０６及びそのアンテナ１０３、キーパッド１０４、中央プロセッサ２１０、ディスプレイ２１２、並びにセルラー電話無線２０８及びそのアンテナ１０５に接続されたメモリ２０２を示す。メモリ２０２は、中央プロセッサ２１０により実行されたときに本発明の機能を実行する一連のオペレーションステップであるプログラム命令を記憶する。メモリ２０２は、搬送プロトコルグループ２１４、ミドルウェアグループ２２４及びアプリケーショングループ２３５へと区切られて示されている。搬送プロトコルグループ２１４内には、リンクコントローラ及び基本帯域２１６と、リンクマネージャー２１８と、論理的リンク制御及び適応プロトコル２２０と、ＡＰＳＩメッセージバッファ２３６とがある。ミドルウェアプロトコルグループ２２４内には、ＲＦＣＯＭＭ、ＰＰＰ、ＩＰ、ＵＤＰ及びＳＤＰプロトコル層がある。アプリケーショングループ２３５には、ＧＵＩアプリケーション２３４、アプリケーションプログラム１０６、ディスプレイバッファ２４４、ＷＡＥ及びＷＡＰプロトコル層、ローカル／グローバルパラメータ５５７のためのバッファ、及びハンドオフアドレス５８２のためのバッファがある。本発明の別の実施形態によれば、ＡＰＳＩメッセージバッファ２３６に含まれたＡＰＳＩメッセージ５５０は、論理的リンク制御及び適応プロトコル２２０により確認され、そしてＡＰＳＩメッセージ５５０の本体２３８は、経路２４２を経てＧＵＩアプリケーション２３４及びアプリケーションプログラム１０６へ直ちに供給される。
【００４５】
図２Ａは、受信パケットバッファ２５２、トリガーワードテーブル２６０、ＡＰＳＩメッセージキャッシュ２８５、及びＡＰＳＩキャッシュヒットロジック２８３を伴うブルーツースアクセスポイント１４０の別の実施形態を示す機能的ブロック図である。図２Ａには、サーバー通知メッセージテーブル２８０も示されている。本発明によれば、アクセスポイント１４０は、サービスプラットホームオファーを特徴付けるアクセスポイントサービスインジケータ（ＡＰＳＩ）メッセージをＡＰＳＩメッセージキャッシュ２８５に記憶する。ＡＰＳＩメッセージ５５０は、独特のＡＰＳＩメッセージＩＤ５５６を含むヘッダ５５４を備えている。又、ＡＰＳＩメッセージ５５０の本体部分２３８には、ローカル／グローバルパラメータ５５７、プライオリティ情報５５８、タイマー情報５６０、表示モード情報５６２、コンテンツ５６４、タイトル５６６、ビットマップ５６８、ｓｏｆｔ  ｋｅｙ＿１選択情報５７０、ｓｏｆｔ  ｋｅｙ＿２選択情報５７２、ｓｏｆｔ  ｋｅｙ＿３選択情報５７４、位置情報５７６、ＵＲＬ情報５７８、サービスタイプ情報５８０、ハンドオフアドレス５８２、及びエンドマーカー５８４も含まれる。ユーザ装置１００が、ページングパケット又は問い合わせ応答パケットのいずれか、例えば、問合せ応答パケット５１０をアクセスポイント１４０へ送信するときには、このアクセスポイントは、受け取ったパケットの情報を、トリガーワードテーブル２６０に記憶されたトリガーワードと一致させるための刺激として使用する。例えば、フィールド５２０における装置１００のアドレスは、トリガーワードテーブル２６０のアドレス値２６６と一致させることができる。又、フィールド５２２における装置１００の装置クラスを、トリガーワードテーブル２６０に記憶された装置クラス値２６８と比較することができる。それらが一致する場合には、ＡＰＳＩメッセージキャッシュ２８５は、その対応ＡＰＳＩメッセージがキャッシュ２８５に記憶されているかどうか決定するためにＡＰＳＩキャッシュヒットロジック２８３によりチェックされる。その対応ＡＰＳＩメッセージがキャッシュ２８５に存在する場合には、そのＡＰＳＩメッセージが直ちに移動ブルーツース装置１００へ送信される。その対応ＡＰＳＩメッセージがメッセージキャッシュ２８５に存在しない場合には、ＡＰＳＩキャッシュヒットロジック２８３が、サーバー通知メッセージ６１０を、メッセージで指定されるコンテンツサーバーへ送信するようにサーバー通知メッセージテーブル２８０に信号する。
【００４６】
図２Ｂは、本発明の別の実施形態のデータ流れ図で、ユーザ装置１００からの問合せ応答パケット５１０がアクセスポイント１４０により検出されるところを示す。図２Ｂは、対応するＡＰＳＩメッセージをキャッシュ２８５に有していないというアクセスポイントの決定に応答してアクセスポイントがイベントメッセージ６１０をコンテンツサーバー１８０に送信するところを示す。図２Ｂに示すように、イベントメッセージ６１０は、サーバー通知メッセージ番号２８２、トリガーワード番号２６２’、ユーザのブルーツース装置１００のアドレス２８４、その装置クラス２８６、他の情報２８８、アクセスポイントアドレス２９０、行先サーバー経路名２９２、及び行先サーバーＵＲＬ２９４に対する特定のデータ値を含む。図２Ｂは、イベントメッセージ６１０がニュースサーバー１８０へ送信されるところを示す。
【００４７】
図２Ｃは、本発明の別の実施形態を示すデータ流れ図で、コンテンツサーバー１８０がイベントメッセージ６１０を処理するのに応答してコンテンツサーバー１８０がコンテンツメッセージ６２０をアクセスポイント１４０へ返送するところを示す。図２Ｃに示すように、コンテンツメッセージ６２０は、最終的にＡＰＳＩメッセージ５５０に組み込まれるコンテンツ情報を含む。
【００４８】
図２Ｄは、本発明の別の実施形態のデータ流れ図で、アクセスポイント１４０が、サーバー１８０から受け取ったコンテンツメッセージ６２０から組み立てたＡＰＳＩメッセージ５５０をユーザの移動装置１００へ送信するところを示す。
【００４９】
図３は、ＡＰＳＩメッセージ５５０を受け取るときの本発明の１つの別の実施形態に基づくユーザのブルーツース装置１００の動作を示すフローチャートである。移動ワイヤレス装置１００は、それがショートレンジワイヤレスアクセスポイント１４０のカバレージエリア内にある時間中に、ネットワークサーバー１８０からインターネットを経て得られるサービスに対する要求を送信する。ショートレンジワイヤレスアクセスポイントは、その要求を、アクセスポイントのネットワークアドレス及び地理的位置を含む付加的な情報で増強して、インターネットを経てサーバーへ転送する。ショートレンジワイヤレスアクセスポイントは、グローバル／ローカルパラメータを含む応答メッセージを、サーバーからインターネットを経て受信する。グローバル／ローカルパラメータは、要求されたサービスがショートレンジワイヤレスアクセスポイントのカバレージエリア外で利用できるかどうか移動ワイヤレス装置に通知する。アクセスポイントは、応答メッセージを移動ワイヤレス装置へ転送し、該装置は、メッセージの情報を使用して、インターネットを経てサーバーに接触し、ウェブページをダウンロードするか又は他のサーバーオペレーションを実行する。図３は、次のステップ３００ないし３３２を示している。
【００５０】
ステップ３００：ユーザ装置１００は、アクセスポイント（ＡＰ）装置１４０からページングパケット５３０（図４Ｃ）を受信する。
ステップ３０２：ユーザ装置のＬ２ＣＡＰ層２２０は、判断ブロック３０４において、ページングパケット５３０の装置クラス（ＣｏＤ）フィールド５４２が、次のパケットがアクセスポイントサービス指示（ＡＰＳＩ）メッセージ５５０であることを示すかどうか決定する。
【００５１】
ステップ３２０：もしそうであれば、ユーザ装置１００がＡＰ１４０から次のパケットを受け取る場合に、Ｌ２ＣＡＰ層２２０は、それをＡＰＳＩメッセージバッファ２３６にロードする。
ステップ３２２：Ｌ２ＣＡＰ層２２０は、パケットヘッダ５５４がＡＰ１４０からのＡＰＳＩメッセージ５５０を指示することを確認する。
【００５２】
ステップ３２４：次いで、Ｌ２ＣＡＰ層２２０は、ＡＰＳＩメッセージ５５０をＧＵＩアプリケーション層２３４へ直接通過させる。ＡＰＳＩメッセージ５５０は、コンテンツ、タイトル、ビットマップ、ソフトキー選択アイテム、位置情報、サービスタイプ情報、ローカル／グローバルパラメータ５５７、ハンドオフアドレス５８２、及びＵＲＬに対するフィールドを含む。
ステップ３２６：ＧＵＩ層２３４は、次いで、コンテンツ、タイトル、ビットマップ、ソフトキー選択アイテム、位置情報、サービスタイプ情報、ローカル／グローバルパラメータ５５７、ハンドオフアドレス５８２及びＵＲＬをＡＰＳＩメッセージ５５０からディスプレイバッファ２４４及び他のバッファへロードする。
【００５３】
ステップ３２８：次いで、ユーザは、サービスプラットホームサーバー１８０とのセッションに対してＡＰ１４０との接続を確立するための入力をＧＵＩ２３４へ選択的に与える。
ステップ３３０：ユーザ装置１００及びＡＰ１４０は、次いで、ＳＤＰ及び／又は非ＳＤＰチャンネルをオープンし、セッションを開始する。
ステップ３３２：ＡＰ１４０は、ユーザ装置１００をサービスプラットホームサーバー１８０に登録し、そしてユーザ装置１００に対するサービスを要求する。次いで、ユーザ装置１００及びサービスプラットホームサーバー１８０は、ＡＰ１４０を経てセッションを行う。サービスプラットホームサーバー１８０は、マップ、広告及び／又は他のサービスオファーを移動ブルーツース装置１００へダウンロードすることができる。
【００５４】
ショートレンジワイヤレスアクセスポイント１４０のカバレージエリア外の領域は、セルラー電話ベースステーションのような領域セルラー電話アクセスポイント１４８によりカバーされる。又、ショートレンジワイヤレスアクセスポイント内の領域も、領域セルラー電話アクセスポイント１４８によりカバーされる。本発明によれば、移動ワイヤレス装置１００は、それがサーバー１８０との接触中にショートレンジワイヤレスアクセスポイント１４０のカバレージエリアを去ったと検出した場合に、グローバル／ローカルパラメータ５５７が、サーバーがグローバルであること、換言すれば、他の搬送波／ベアラを使用してサーバーを獲得できることを指示するかどうか決定する。パラメータ５５７がグローバルである場合には、移動ワイヤレス装置１００は、サーバーのＵＲＬのブックマーク、例えば、サーバー１８０からダウンロードされた以前のウェブページの１つに対するＵＲＬ及び経路名を記憶する。移動ワイヤレス装置１００は、ブラウザ１０２における通知をユーザに表示し、領域セルラー電話ネットワークを経てサーバー１８０との接触を続けるという選択肢をユーザにオファーする。ユーザがサーバー１８０との接触を続けることを選択した場合には、記憶されたハンドオーバーアドレス５８２がアクセスされる。このハンドオーバーアドレス５８２は、移動ワイヤレス装置１００に記憶されてもよいし、又はショートレンジワイヤレスアクセスポイント１４０に記憶されてもよい。記憶されたハンドオーバーアドレス５８２は、デフォールトアドレスでもよいし、又はサーバー１８０からの以前の応答メッセージに含まれたハンドオーバーアドレスでもよい。ハンドオーバーアドレス５８２は、通常、セルラー電話ネットワーク１１６とインターネット１４４との間に接続されたＷＡＰゲートウェイのようなプロトコルゲートウェイ１１８の電話番号である。セルラー電話接続は、移動ワイヤレス装置１００により領域セルラー電話アクセスポイント１４８と形成される。次いで、セルラー電話コールがプロトコルゲートウェイ１１８へ発信される。移動ワイヤレス装置１００から電話ネットワーク１１６を経てプロトコルゲートウェイ１１８へコールが完成したときには、移動ワイヤレス装置１００は、プロトコルゲートウェイ１１８へメッセージを送信し、該ゲートウェイは、それをサーバー１８０へ転送する。要求に基づいて、サーバー１８０は、移動ワイヤレス装置１００との以前の接触においてそれが以前行ったオペレーションを再開することにより応答する。
【００５５】
或いは又、ステップ３０２が、判断ブロック３０４において、ページングパケット５３０の装置クラス（ＣｏＤ）フィールド５４２が、次のパケットがアクセスポイントサービス指示（ＡＰＳＩ）メッセージ５５０であることを指示しないと決定した場合には、プロセスがステップ３０６を経て３１８へ進む。
ステップ３０６：ユーザ装置１００は、サービス発見プロトコル（ＳＤＰ）チャンネルをオープンして、アクセスポイント１４０とのセッションを開始する。
ステップ３０８：ユーザ装置１００は、非ＳＤＰチャンネルをアクセスポイント１４０でオープンする。
【００５６】
ステップ３１０：ユーザ装置１００は、サービスプラットホームサーバー１８０からアクセスポイント１４０を経てユーザ装置の登録及びサービスの要求を待機する。
ステップ３１２：ユーザ装置１００は、アクセスポイント１４０を経てサービスプラットホームサーバー１８０とのサービスセッションを実行する。
ステップ３１４：ユーザ装置１００は、コンテンツ、タイトル、ビットマップ、ソフトキー選択アイテム、位置情報、サービスタイプ情報、ローカル／グローバルパラメータ５５７、ハンドオフアドレス５８２及びＵＲＬと共にＬ２ＣＡＰ層２２０においてサービスメッセージを受け取る。
【００５７】
ステップ３１６：Ｌ２ＣＡＰ層２２０は、ユーザ装置１００のプロトコルスタックの全ての層ＲＦＣＯＭＭ、ＰＰＰ、ＩＰ、ＵＤＰ、ＷＡＰ及びＷＡＥを経てＧＵＩアプリケーション層２３４へサービスメッセージを通過させる。
ステップ３１８：ＧＵＩアプリケーション層２３４は、サービスメッセージからのコンテンツ、タイトル、ビットマップ、ソフトキー選択アイテム、ローカル／グローバルパラメータ５５７、ハンドオフアドレス５８２及びＵＲＬを表示バッファ２４４又は他のバッファへロードする。任意であるが、位置情報及びサービスタイプ情報も表示バッファ２４４へロードすることもできる。
【００５８】
本発明によれば、移動ワイヤレス装置１００は、それがサーバー１８０と接触する間にショートレンジワイヤレスアクセスポイント１４０のカバレージエリアを去ったことを検出すると、グローバル／ローカルパラメータ５５７が、サービスがグローバルであることを指示するかどうか決定する。パラメータ５５７がグローバルである場合には、移動ワイヤレス装置１００は、サーバーのＵＲＬのブックマークを記憶する。移動ワイヤレス装置１００は、領域セルラー電話ネットワークを経てサーバー１８０との接触を続ける選択肢をユーザに与える通知をブラウザ１０２においてユーザに表示する。ユーザがサーバー１８０との接触を続けることを選択すると、記憶されたハンドオーバーアドレス５８２がアクセスされる。ハンドオーバーアドレス５８２は、通常、セルラー電話ネットワーク１１６とインターネット１４４との間に接続されたプロトコルゲートウェイ１１８の電話番号である。セルラー電話接続は、移動ワイヤレス装置１００により領域セルラー電話アクセスポイント１４８と形成される。次いで、セルラー電話コールがプロトコルゲートウェイ１１８へ発生される。コールが移動ワイヤレス装置１００から電話ネットワーク１１６を経てプロトコルゲートウェイ１１８へと完成すると、移動ワイヤレス装置１００は、プロトコルゲートウェイ１１８へメッセージを送信し、該ゲートウェイは、それをサーバー１８０へ転送する。要求に基づいて、サーバー１８０は、移動ワイヤレス装置１００との以前の接触においてそれが以前行ったオペレーションを再開することにより応答する。
【００５９】
図３Ａにおいて、本発明の別の実施形態のフローチャートは、以前の警報を伴わずにＡＰＳＩメッセージ５５０を受け取るときのユーザのブルーツース装置１００のオペレーションを示す。この図は、ステップ４００ないし４１２を示す。
ステップ４００：ユーザ装置１００は、問合せ応答パケット５１０（図４Ｂ）を送信し、そしてアクセスポイント（ＡＰ）装置１４０からページングパケット５３０（図４Ｃ）を受信する。
ステップ４０２：ユーザ装置１００は、ＡＰから次のパケットを受信し、そしてＬ２ＣＡＰ層２２０は、パケットヘッダ５５４がＡＰ１４０からのＡＰＳＩメッセージ５５０を指示することを決定すると共に、Ｌ２ＣＡＰ層２２０は、それをＡＰＳＩメッセージバッファ２３６にロードする。
【００６０】
ステップ４０４：次いで、Ｌ２ＣＡＰ層２２０は、ＡＰＳＩメッセージ５５０をＧＵＩアプリケーション層２３４へ直接通過させる。ＡＰＳＩメッセージ５５０は、コンテンツ、タイトル、ビットマップ、ソフトキー選択アイテム、位置情報、サービスタイプ情報、ローカル／グローバルパラメータ５５７、ハンドオフアドレス５８２及びＵＲＬに対するフィールドを含む。
ステップ４０６：ＧＵＩ層２３４は、ＡＰＳＩメッセージ５５０からのコンテンツ、タイトル、ビットマップ、ソフトキー選択アイテム、位置情報、サービスタイプ情報、ローカル／グローバルパラメータ５５７、ハンドオフアドレス５８２及びＵＲＬを表示バッファ２４４へロードする。
【００６１】
ステップ４０８：次いで、ユーザは、サービスプラットホームサーバー１８０とのセッションに対してＡＰ１４０との接続を確立するための入力をＧＵＩ２３４へ選択的に与える。
ステップ４１０：ユーザ装置１００及びＡＰ１４０は、次いで、ＳＤＰ及び／又は非ＳＤＰチャンネルをオープンし、セッションを開始する。
ステップ４１２：ＡＰ１４０は、ユーザ装置１００をサービスプラットホームサーバー１８０に登録し、そしてユーザ装置１００に対するサービスを要求する。次いで、ユーザ装置１００及びサービスプラットホームサーバー１８０は、ＡＰ１４０を経てセッションを行う。サービスプラットホームサーバー１８０は、マップ、広告及び／又は他のサービスオファーを移動ブルーツース装置１００へダウンロードすることができる。
【００６２】
以下、本発明の別の実施形態によるブルーツース問合せ、問合せ応答、及びページングパケットの使用について説明する。リキャップのために、ブルーツースアクセスポイント装置１４０は、地上線ネットワーク１４２及び１４４を経て、又はワイヤレスネットワークを経てサービスプラットホームサーバー１８０へ接続される。サービスプラットホームサーバー１８０は、ブルーツースアクセスポイント装置１４０のＲＦ通信レンジ内を通過させて移動ブルーツース装置１００に利用できるようにすることを希望するサービスオファーを有する。本発明の別の実施形態によれば、ブルーツースアクセスポイント装置１４０は、サービスプラットホームサーバー１８０のオファーを特徴付けるアクセスポイントサービスインジケータ（ＡＰＳＩ）メッセージ５５０を記憶する。
【００６３】
本発明の１つの別の実施形態によれば、ＡＰＳＩメッセージ５５０のコンテンツを迅速に通信してユーザ装置１００に表示するために、ＡＰＳＩメッセージの差し迫った到着の通知が、ユーザ装置１００へ送信される問合せ応答パケット又はページングパケットにアクセスポイント１４０により挿入される情報によって行われる。本発明の更に別の実施形態によれば、ターミナルへ予め通知せずに、メッセージの確認を行うこともできる。
【００６４】
ブルーツースアクセスポイント装置１４０は、ＲＦリンクを経てＲＦ通信レンジ内の移動ブルーツース装置１００へブルーツース問合せパケット５００を周期的に送出する。図４Ａは、ブルーツースアクセスポイント装置によりユーザ装置１００へ送信される問合せパケット５００のブルーツースパケット構造を示す。パケット５００の一般的な問合せアクセスコード（ＧＩＡＣ）は、全てのブルーツース装置により問合せメッセージとして確認される。問合せ手順中に、問合せ走査状態にある他のブルーツース装置、例えば、ユーザ装置１００は、問合せパケット５００の受信に対して走査される。問合せ走査状態にあるユーザ装置１００は、それが問い合わせパケット５００を受信した場合、接続を行うに必要な本質的情報の問合せ応答テーブルをブルーツースアクセスポイント装置が形成できるようにするに充分な情報を有する問合せ応答パケット５１０で応答する。問合せパケット５００を確認するいかなるブルーツース装置も応答できる。図４Ｂは、ユーザ装置１００により送信された問合せ応答パケット５１０に対するブルーツース周波数ホップ同期（ＦＨＳ）パケット構造を示す。ユーザ装置１００により送信された問合せ応答パケット５１０に対するこのＦＨＳパケット構造は、アクセスコードフィールド５１２と、ＡＭ＿ＡＤＤＲがまだ指定されておらずゼロにセットされているスレーブメンバー番号フィールド５１４を含むヘッダと、タイプフィールド５１６と、パリティフィールド５１８とを含む。別のスレーブメンバー番号フィールド５２４も、ＡＭ＿ＡＤＤＲがゼロにセットされている。フィールド５２２は、ユーザの装置クラス（ＣｏＤ）情報を含む。問合せ応答パケット５１０に対するＦＨＳパケット構造は、ブルーツースアクセスポイント装置がユーザ装置への接続を形成できるようにするユーザ装置１００に関する本質的な情報を与え、フィールド５２０は、ユーザ装置のＢＤ＿ＡＤＤＲを含み、そしてフィールド５２６は、ユーザ装置の現在クロック値を含む。
【００６５】
ブルーツースアクセスポイント装置は、ページングされるべきユーザ装置から受信した問合せ応答パケット５１０に与えられた情報を使用して、ページングメッセージを作成してユーザのページングされる装置へ送信する。接続を確立するために、アクセスポイントページング装置は、ページ状態に入らねばならない。ブルーツースアクセスポイント装置は、そのリンクコントローラを呼び出して、ページ状態に入り、そこで、問合せ応答パケット５１０から取得したアクセスコード及びタイミング情報を使用してユーザのページングされる装置へページングメッセージを送信する。ユーザのページングされる装置は、アクセスポイントページング装置がそれに接続できるには、ページ走査状態になければならない。ページ走査状態になると、ユーザのページングされる装置は、ページングメッセージを確認し、そしてアクセスポイントページング装置は、図４Ｃに示すページングパケット５３を送信し、これは、ブルーツースアクセスポイントページング装置のクロックタイミング及びアクセスコードをユーザのページングされる装置へ与える。ページングパケット５３０は、「ＦＡＸマシン」のようなページング装置のクラスを指定するために通常使用される２４ビットフィールドである装置クラス（ＣｏＤ）フィールド５４２を含む。
【００６６】
本発明の１つの別の実施形態によれば、ブルーツースアクセスポイントページング装置により送信されたページングパケット５３０の装置クラス（ＣｏＤ）フィールド５４２は、ブルーツースアクセスポイントページング装置から受信されるべき次のパケットがアクセスポイントサービスインジケータ（ＡＰＳＩ）メッセージであることを指示する独特の値を含む。
【００６７】
ブルーツースアクセスポイント装置は、それがページを開始したので、２つの装置により形成される新たなピコネットにおいてマスター装置となる。ブルーツースアクセスポイント装置に対してスレーブとなるユーザのページングされる装置も、ブルーツースアクセスポイント装置のＢＤ＿ＡＤＤＲを知らねばならない。というのは、これは、２つの装置により形成される新たなピコネットのピコネットアクセスコードに使用されるマスター装置のアドレスだからである。図４Ｃは、ブルーツースアクセスポイント装置により送信されるページングパケット５３０に対するブルーツース周波数ホップ同期（ＦＨＳ）パケット構造を示す。ブルーツースアクセスポイント装置により送信されるページングパケット５３０に対するＦＨＳパケット構造は、ユーザのページングされる装置のＢＤ＿ＡＤＤＲ含むアクセスコードフィールド５３２と、ＡＭ＿ＡＤＤＲに値１が現在指定されているスレーブメンバー番号フィールド５３４を含むヘッダと、タイプフィールド５３６と、パリティフィールド５３８とを含む。別のスレーブメンバー番号フィールド５４４も、ＡＭ＿ＡＤＤＲが１にセットされている。フィールド５４２は、ブルーツースアクセスポイント装置の装置クラス（ＣｏＤ）独特値を含む。
【００６８】
本発明の１つの別の実施形態によれば、ＣｏＤフィールド５４２は、ターミナルへ送信される次のパケットがＡＰＳＩメッセージであることを指示する。このような指示が使用される場合には、ユーザ装置１００は、ＡＰＳＩメッセージが拒絶されるモードにセットすることができ、そして拒絶が好ましい場合には、ユーザ装置１００は、ＡＰＳＩ指示でページングに応答しないように自動的にセットされる。
【００６９】
ページングパケット５３０に対するＦＨＳパケット構造は、ユーザのページングされる装置がブルーツースアクセスポイント装置への接続を形成できるようにするブルーツースアクセスポイント装置に関する本質的な情報を与え、即ちフィールド５４０は、ブルーツースアクセスポイント装置のＢＤ＿ＡＤＤＲを含み、そしてフィールド５４６は、ブルーツースアクセスポイント装置の現在クロック値を含む。
【００７０】
本発明の別の実施形態によれば、図４Ｄは、その後のＡＰＳＩメッセージ５５０に対するブルーツースパケット構造を示す。ＡＰＳＩメッセージは、それがＡＰＳＩメッセージであることを指示する独特のメッセージＩＤ５５６を有するヘッダ５５４を含む。ＡＰＳＩメッセージ５５０は、独特のＡＰＳＩメッセージＩＤ５５６を含むヘッダ５５４を含む。ＡＰＳＩメッセージ５５０の本体部分２３８には、ローカル／グローバルパラメータ５５７、プライオリティ情報５５８、タイマー情報５６０、表示モード情報５６２、コンテンツ５６４、タイトル５６６、ビットマップ５６８、ｓｏｆｔ  ｋｅｙ  ｓｅｌｅｃｔｉｏｎ＿１情報５７０、ｓｏｆｔ  ｋｅｙ  ｓｅｌｅｃｔｉｏｎ＿２情報５７２、ｓｏｆｔ  ｋｅｙｓｅｌｅｃｔｉｏｎ＿３情報５７４、位置情報５７６、サービスタイプ情報５７８、ＵＲＬ情報５８０、ハンドオフアドレス５８２、及びエンドマーカー５８４も含まれる。位置情報は、座標及び場所名を含む。これらのパラメータは、ユーザ装置のＧＵＩに適当なやり方で適用することができる。ローカル／グローバルパラメータは、サービスがローカルで利用できるかどうか、即ち現在のブルーツースカバレージエリア内のみで利用できるかどうか記述する。グローバルとは、サービスがブルーツースカバレージエリア内で利用できるが、カバレージエリア外でも利用できることを意味する。サービスがブルーツースカバレージエリア外でも利用できるときには、ユーザ装置は、サービスへの接続を維持するためにデフォールトベアラ（例えば、ＷＡＰオーバーＧＳＭデータ）をアクチベートしてよいかどうか問合わせる。
【００７１】
アクセスポイント１４０が問合せパケット５００を送出し、そしてユーザ装置１００から問合せ応答パケット５１０をユーザ装置のアドレス５２０及び装置クラス情報５２２と共に受信するのに代わって、ユーザ装置１００それ自体が接続を開始することができる。ユーザ装置１００は、図４Ａに示す問合せパケット５００を送出することができる。アクセスポイント１４０は、送信者のアドレスフィールド５２０にアクセスポイントのアドレスを含ませ且つ送信者の装置クラスフィールド５２２に独特のＣｏＤ値を含ませることにより、図４Ｂにパケット５１０について示したものから変更された問合せ応答パケットで応答する。本発明の１つの別の実施形態によれば、独特のＣｏＤ値は、アクセスポイント１４０により送信されるべき次のパケットがＡＰＳＩメッセージ５５０であることを識別する。アクセスポイント１４０は、次いで、ユーザ装置１００が図４Ｃのパケット５３０と同様のページパケットで応答するまで待機しなければならない。というのは、アクセスポイント１４０は、ＡＰＳＩメッセージ５５０における行先アドレス５５２として使用するためにページパケットの送信者アドレスフィールド５４０のアドレスを必要とするからである。ユーザ装置のページパケット５３０は、ユーザ装置のアドレスをフィールド５４０に含みそして装置クラス情報をフィールド５４２に含み、これは、適切なＡＰＳＩメッセージ５５０を選択して返送するためにアクセスポイント１４０により必要とされる情報である。アクセスポイント１４０により受け取られたユーザ装置のページングパケット５３０は、図２Ａの受信パケットバッファ２５２にバッファされる。そこで、図４Ｃの送信者のアドレスフィールド５４０は、図２Ａのトリガーワードテーブル２６０におけるアドレス値２６６と一致させることができる。例えば、フィールド５４０における装置１００のアドレスは、トリガーワードテーブル２６０におけるアドレス値２６６と一致させることができる。又、フィールド５４２における装置１００の装置クラスは、トリガーワードテーブル２６０に記憶された装置クラス値２６８と比較することができる。それらが一致する場合には、ＡＰＳＩメッセージキャッシュ２８５がＡＰＳＩキャッシュヒットロジック２８３によりチェックされ、それに対応するＡＰＳＩメッセージ５５０がキャッシュ２８５に記憶されているかどうか決定される。対応するＡＰＳＩメッセージがキャッシュ２８５にある場合には、ＡＰＳＩメッセージ５５０が直ちに移動ブルーツース装置１００へ送信される。
【００７２】
図５は、本発明の別の実施形態のネットワークプロセス図であり、ユーザ装置１００と、アクセスポイント１４０と、コンテンツサーバー１８０との間の相互作用を示す。このネットワークプロセス図は、３列に分割され、ユーザ装置１００は左の列に示され、アクセスポイント装置は、中央の列に示され、そしてコンテンツサーバー１８０は、右側の列に示される。ネットワークプロセスは、ステップ３００で始まり、ユーザ装置１００は、問合せ応答５１０をアクセスポイント１４０へ送信し、そしてアクセスポイントからページ５３０を受信する。アクセスポイント１４０における対応ステップは、ステップ６００であり、ここでは、アクセスポイントがユーザ装置１００から問合せ応答パケット５１０（図４Ｂに示された）を受信する。図５のアクセスポイント装置１４０の説明を続けると、ステップ６００は、ステップ６０２へと続き、ここでは、問合せ応答５１０における情報の受信によりトリガーワードがそのトリガーテーブル２６０において満足されたことをアクセスポイントが決定する。次いで、ステップ６０２は、判断ブロック６０３へと続き、対応するＡＰＳＩメッセージ５５０がローカルＡＰＳＩキャッシュ２８５に現在記憶されているかどうか決定する。もしそうであれば、判断ブロック６０３はステップ６２４へと続き、ここでは、アクセスポイント１４０が、図４Ｄに示されたＡＰＳＩメッセージ５５０をユーザ装置１００へ送信する。或いは又、判断ブロック６０３において、対応するＡＰＳＩメッセージ５５０がローカルＡＰＳＩキャッシュ２８５に記憶されていないと決定された場合には、ブロック６０３は、ステップ６０４へと続く。このステップ６０４では、アクセスポイント１４０は、そのアクセスポイントアドレス２９０及びユーザ装置ＩＤ２８４を図２Ｂのイベントメッセージ６１０においてコンテンツサーバー１８０へ転送する。ここで、図５のコンテンツサーバー１８０を説明すると、ステップ６１４は、イベントメッセージ６１０を受信し、そしてコンテンツサーバー１８０は、ユーザ装置ＩＤ２８４及びアクセスポイントアドレス２９０に応答してそのデータベース１８２のコンテンツにアクセスする。ステップ６１４は、次いで、コンテンツサーバー１８０におけるステップ６１６へ進み、そこで、コンテンツサーバーは、図２Ｃのコンテンツメッセージ６２０におけるコンテンツ情報を、イベントメッセージ６１０に設けられたアクセスポイントアドレス２９０で指定されたアクセスポイント１４０へ返送する。コンテンツメッセージ６２０は、ローカル／グローバルパラメータ５５７と、ハンドオフアドレス５８２とを含む。図５のアクセスポイント１４０へ戻ると、ステップ６２２は、コンテンツメッセージ６２０を受信し、そしてそれを使用して、図２Ｃのコンテンツメッセージ６２０に含まれたコンテンツ５６４、タイトル５６６、ビットマップ５６８、ｓｏｆｔ  ｋｅｙ＿１選択情報５７０、ｓｏｆｔ  ｋｅｙ＿２選択情報５７２、ｓｏｆｔ  ｋｅｙ＿３選択情報５７４、位置情報５７６、ＵＲＬ情報５７８、サービスタイプ情報５８０、ローカル／グローバルパラメータ５５７及びハンドオフアドレス５８２を含むようにＡＰＳＩメッセージ５５０を組み立てる。次いで、ステップ６２２は、ステップ６２４へと続き、そこで、アクセスポイント１４０は、新たに組み立てられたＡＰＳＩメッセージ５５０をユーザ装置１００へ送信する。次いで、図５のユーザ装置１００へ戻ると、ステップ３０４は、任意であり、本発明の実施形態に基づくものである。ステップ３２０は、ＡＰＳＩメッセージ５５０を受信し、そしてそれをＡＰＳＩメッセージバッファ２３６に記憶する。次いで、ステップ３２２において、ユーザ装置１００は、受信したパケットのパケットヘッダ５５４が、それが実際に図４Ｄに示すようなＡＰＳＩメッセージ５５０であると示していることをＬ２ＣＡＰ層２２０で確認する。次いで、ステップ３２２は、ステップ３２４へと続き、そこで、Ｌ２ＣＡＰ層２２０は、経路２４２を経てＧＵＩアプリケーション層２３４へＡＰＳＩメッセージ５５０を直ちに通過させ、これにより、ミドルウェアプロトコルグループ２２４層をバイパスさせる。次いで、コンテンツ５６４、タイトル５６６、ビットマップ５６８、ｓｏｆｔ  ｋｅｙ＿１選択情報５７０、ｓｏｆｔ  ｋｅｙ＿２選択情報５７２、ｓｏｆｔ  ｋｅｙ＿３選択情報５７４、位置情報５７６、ＵＲＬ情報５７８、サービスタイプ情報５８０、ローカル／グローバルパラメータ５５７及びハンドオフアドレス５８２がアプリケーショングループ２３５プログラムによって処理され、そしてコンテンツ５６４がブラウザ１０２においてユーザに表示される。
【００７３】
図５の判断ブロック６０３は、アクセスポイントがステップ６２４へ直接通過して、サーバーからＡＰＳＩメッセージのコンテンツをフェッチせずに、そのメモリに記憶されたＡＰＳＩメッセージ（１つ又は複数）を、そのカバレージエリアに入る全ての移動装置に直接送信できるようにすることに注意されたい。
【００７４】
従って、本発明は、ショートレンジワイヤレスアクセスポイントを経て行われていたウェブサイトとのインターネット接触であって、移動装置がアクセスポイントのカバレージエリアから移動して出ることにより中断されたインターネット接触を移動ワイヤレス装置が再開できるようにするという問題を解消する。
【００７５】
本発明の特定の実施形態について説明したが、当業者であれば、本発明の精神及び範囲から逸脱せずにその特定の実施形態に対して変更がなされ得ることが理解されよう。
【図面の簡単な説明】
【００７６】
【図１】ユーザのワイヤレス装置１００を、２つのショートレンジワイヤレスアクセスポイント１４０及び１４０Ａの付近の第１位置「Ａストリート」において示すと共に、その後、領域セルラー電話アクセスポイント１４８の付近の第２位置「Ｂストリート」において示した図である。
【図１Ａ】アクセスポイント１４０においてサービス要求を処理するフローチャートである。
【図１Ｂ】移動ワイヤレス装置１００においてサービスハンドオフを処理するフローチャートである。
【図１Ｃ】サーバー１８０からのサービスを要求してアクセスポイント１４０へ送られるユーザ装置１００の要求に対するブルーツースパケット構造を示す図である。
【図１Ｄ】サーバー１８０からユーザ装置１００へ応答メッセージ４３５を転送するアクセスポイント１４０に対するブルーツースパケット構造を示す図である。
【図１Ｅ】ユーザ装置１００からアクセスポイント１４０により増強サービス要求メッセージ４４０においてコンテンツサーバー１８０へ転送されるサービス要求パケット４２０を示すデータ流れ図である。
【図１Ｆ】ローカル／グローバルパラメータ５５７及びハンドオフアドレス５８２を含む応答メッセージ４３５をアクセスポイント１４０へ返送するコンテンツサーバー１８０を示すデータ流れ図である。
【図１Ｇ】ユーザの移動装置１００へ応答メッセージ４３５を送信するアクセスポインタ１４０を示すデータ流れ図である。
【図１Ｈ】ユーザのブルーツース装置１００、アクセスポイント１４０、及びコンテンツサーバー１８０に対する公知の各プロトコルスタックを示す図である。
【図１Ｉ】ユーザのブルーツース装置１００及びアクセスポイント１４０に対する各プロトコルスタックがアクセスポイントサービスインジケータ（ＡＰＳＩ）メッセージ５５０によりコンテンツを交換する本発明の別の実施形態を示す図である。
【図１Ｊ】本発明の別の実施形態においてＡＰＳＩメッセージバッファ２３６を示すユーザのワイヤレス装置１００の機能的ブロック図である。
【図２Ａ】受信パケットバッファ２５２、トリガーワードテーブル２６０、ＡＰＳＩメッセージキャッシュ２８５、及びＡＰＳＩキャッシュヒットロジック２８３を伴うワイヤレスアクセスポイント１４０の機能的ブロック図である。
【図２Ｂ】本発明の別の実施形態のデータ流れ図で、ユーザ装置１００からの問合せ応答パケット５１０がアクセスポイント１４０によって検出され、そしてアクセスポイント１４０がそれに対応するＡＰＳＩメッセージをそのキャッシュに有していないという決定に応答してアクセスポイントがコンテンツサーバー１８０へイベントメッセージ６１０を送信するところを示す図である。
【図２Ｃ】本発明の別の実施形態のデータ流れ図で、コンテンツサーバー１８０がエベントメッセージ６１０を処理したことに応答してコンテンツサーバーがアクセスポイント１４０へコンテンツメッセージ６２０を返送するところを示す図である。
【図２Ｄ】本発明の別の実施形態のデータ流れ図で、アクセスポイント１４０が、サーバー１８０から受信したコンテンツメッセージ６２０から組み立てたＡＰＳＩメッセージ５５０をユーザの移動装置１００へ送信するところを示す図である。
【図３】ＡＰＳＩメッセージを処理する際にユーザ装置１００により実行される一連のオペレーションステップを示す本発明の別の実施形態のフローチャートである。
【図３Ａ】以前の警報を伴わずにＡＰＳＩメッセージ５５０を受信したときにユーザのブルーツース装置１００のオペレーションを示す本発明の別の実施形態のフローチャートである。
【図４Ａ】本発明の別の実施形態においてブルーツースアクセスポイント装置によりユーザ装置１００へ送信される問合せパケット５００のブルーツースパケット構造を示す図である。
【図４Ｂ】本発明の別の実施形態においてユーザ装置１００により送信される問合せ応答パケット５１０のブルーツース周波数ホップ同期（ＦＨＳ）パケット構造を示す図である。
【図４Ｃ】本発明の別の実施形態においてブルーツースアクセスポイント装置により送信されるページングパケット５３０のブルーツース周波数ホップ同期（ＦＨＳ）パケット構造を示す図である。
【図４Ｄ】本発明の別の実施形態においてその後のＡＰＳＩメッセージのブルーツースパケット構造を示す図である。
【図５】ユーザ装置１００と、アクセスポイント１４０と、コンテンツサーバー１８０との間の相互作用を示す本発明の別の実施形態のネットワークプロセス図である。
【図１】
2005507600.tif 000003
【図１Ａ】
2005507600.tif 000004
【図１Ｂ】
2005507600.tif 000005
【図１Ｃ】
2005507600.tif 000006
【図１Ｄ】
2005507600.tif 000007
【図１Ｅ】
2005507600.tif 000008
【図１Ｆ】
2005507600.tif 000009
【図１Ｇ】
2005507600.tif 000010
【図１Ｈ】
2005507600.tif 000011
【図１Ｉ】
2005507600.tif 000012
【図１Ｊ】
2005507600.tif 000013
【図２Ａ】
2005507600.tif 000014
【図２Ｂ】
2005507600.tif 000015
【図２Ｃ】
2005507600.tif 000016
【図２Ｄ】
2005507600.tif 000017
【図３】
2005507600.tif 000018
【図３Ａ】
2005507600.tif 000019
【図４Ａ】
2005507600.tif 000020
【図４Ｂ】
2005507600.tif 000021
【図４Ｃ】
2005507600.tif 000022
【図４Ｄ】
2005507600.tif 000023
【図５】
2005507600.tif 000024
【国際公開パンフレット】
2005507600.tif 000025
2005507600.tif 000026
2005507600.tif 000027
2005507600.tif 000028
2005507600.tif 000029
2005507600.tif 000030
2005507600.tif 000031
2005507600.tif 000032
2005507600.tif 000033
2005507600.tif 000034
2005507600.tif 000035
2005507600.tif 000036
2005507600.tif 000037
2005507600.tif 000038
2005507600.tif 000039
2005507600.tif 000040
2005507600.tif 000041
2005507600.tif 000042
2005507600.tif 000043
2005507600.tif 000044
2005507600.tif 000045
2005507600.tif 000046
2005507600.tif 000047
2005507600.tif 000048
2005507600.tif 000049
2005507600.tif 000050
2005507600.tif 000051
2005507600.tif 000052
2005507600.tif 000053
2005507600.tif 000054
2005507600.tif 000055
2005507600.tif 000056
2005507600.tif 000057
2005507600.tif 000058
2005507600.tif 000059
2005507600.tif 000060
2005507600.tif 000061
2005507600.tif 000062
2005507600.tif 000063
2005507600.tif 000064
2005507600.tif 000065
2005507600.tif 000066
2005507600.tif 000067
2005507600.tif 000068
2005507600.tif 000069
2005507600.tif 000070
2005507600.tif 000071
2005507600.tif 000072
2005507600.tif 000073
2005507600.tif 000074
2005507600.tif 000075
2005507600.tif 000076
2005507600.tif 000077
2005507600.tif 000078
2005507600.tif 000079
2005507600.tif 000080
2005507600.tif 000081
2005507600.tif 000082
2005507600.tif 000083
2005507600.tif 000084
2005507600.tif 000085
2005507600.tif 000086
【国際公開パンフレット（コレクトバージョン）】
2005507600.tif 000087
【国際調査報告】
2005507600.tif 000088
2005507600.tif 000089